(57)【特許請求の範囲】
【請求項１】
通信システムにおける無線受信装置であって、
前記装置によって使われ、更に、前記通信システムの基地局との接続を保持する第１キャリアユニットに対応する第１セルの専用シグナリングに介して、システム情報に変化が発生したことを示す情報および前記システム情報の変化に関わる第２キャリアユニットを識別する情報を含む第１情報を受信するとともに、前記第２キャリアユニットに従って第２セルのブロードキャストシグナリングを介して更新されたシステム情報を受信するように構成された受信手段と、
前記第２キャリアユニットを識別するために前記第１情報を解析するように構成された制御手段を備え、
前記通信システムはキャリアアグリゲーションをサポートする、無線受信装置。
【請求項２】
前記無線受信装置は、各々異なるセルに対応する複数のキャリアユニットをサポートし、前記受信手段は、更に、前記システム情報の変化に関わるキャリアユニットを識別するために、前記専用シグナリング内の第１インジケータを受信するように構成される、請求項１に記載の無線受信装置。
【請求項３】
前記受信手段は、更に、前記システム情報の変化がキャリアアグリゲーション伝送に影響を与えるか否かを識別するために、前記ブロードキャストシグナリング内の第２インジケータを受信するように構成される、請求項１に記載の無線受信装置。
【請求項４】
前記システム情報の変化が、キャリアセグメントを前記第２キャリアユニットに追加することであり、
前記第１情報が、追加される前記キャリアセグメントを示す第３インジケータを更に含み、
前記制御手段が、更に、前記第３インジケータを取得し前記第３インジケータに基づいて前記システム情報を受信するか否かを判断するために、前記第１情報を解析するように構成される、請求項１に記載の無線受信装置。
【請求項５】
前記第２キャリアユニットがアップリンク伝送に使われる場合又は、前記第２キャリアユニットがダウンリンク伝送に使われるがアップリンク情報も構成のために必要な場合、前記システム情報は、更に、アップリンクキャリア周波数、アップリンク伝送帯域幅、および前記第２キャリアユニットのアップリンクチャネルのための構成情報を有する、請求項１に記載の無線受信装置。
【請求項６】
前記受信手段は、更に、前記システム情報のどの部分が更新されたかを判断するために、増量シグナリングを受信するように構成される、請求項１に記載の無線受信装置。
【請求項７】
通信システムにおける無線受信装置であって、
第１セルのみを介して、前記装置に関わるシステム情報に変化が発生したことを示す情報と、前記システム情報の変化に関わる第２キャリアユニットを識別するための情報とを含む第１情報を受信するとともに、前記第１情報の受信に後続するプロセスにおいて前記第２キャリアユニットに従って第２セルの専用シグナリングを介して更新されたシステム情報を受信するように構成された受信手段と、
前記第２キャリアユニットを識別するために前記第１情報を解析するように構成される制御手段とを備え、
前記第１セルは、前記装置が接続された複数のセルの一つであり、前記装置によって使われるキャリアユニットに対応するセルであり、前記通信システムの基地局との接続を保持するセルである、前記無線受信装置。
【請求項８】
通信システムにおける無線送信装置であって、
システム情報に変化が発生したことを示す情報および前記システム情報の変化に関わる第２キャリアユニットを識別する情報を含む第１情報を生成するように構成された情報生成手段と、
ユーザ装置によって使われ、更に、前記通信システムの基地局との接続を保持する第１キャリアユニットに対応する第１セルの専用シグナリングを介して、前記第１情報を送信するとともに、前記第２キャリアユニットに従って第２セルのブロードキャストシグナリングを介して更新されたシステム情報を送信するように構成された送信手段とを備え、
前記通信システムはキャリアアグリゲーションをサポートする、無線送信装置。
【請求項９】
前記ユーザ装置は、各々異なるセルに対応する複数のキャリアユニットをサポートし、前記送信手段は、更に、前記システム情報の変化に関わるキャリアユニットを識別するために、前記専用シグナリング内の第１インジケータを送信するように構成される、請求項８に記載の無線送信装置。
【請求項１０】
前記送信手段は、更に、前記システム情報の変化がキャリアアグリゲーション伝送に影響を与えるか否かを識別するために、前記ブロードキャストシグナリング内の第２インジケータを送信するように構成される、請求項８に記載の無線送信装置。
【請求項１１】
前記システム情報の変化は、キャリアセグメントを前記第２キャリアユニットに追加することであり、前記第１情報は、更に、追加される前記キャリアセグメントを示す第３インジケータを含む、請求項８に記載の無線送信装置。
【請求項１２】
前記第２キャリアユニットがアップリンク伝送に使われる場合又は、前記第２キャリアユニットがダウンリンク伝送に使われるがアップリンク情報も構成のために必要な場合、前記システム情報は、更に、アップリンクキャリア周波数、アップリンク伝送帯域幅、および前記第２キャリアユニットのアップリンクチャネルのための構成情報を有する、請求項８に記載の無線送信装置。
【請求項１３】
前記送信手段は、更に、前記システム情報のどの部分が更新されたかを判断するために、増量シグナリングを送信するように構成される、請求項８に記載の無線送信装置。
【請求項１４】
通信システムにおける無線送信装置であって、
ユーザ装置に関わるシステム情報に変化が発生したことを示す情報および前記システム情報の変化に関わる第２キャリアユニットを識別する情報を含む第１情報を生成するように構成された情報生成手段と、
第１セルを介して前記第１情報を送信するとともに、前記第１情報の送信に後続するプロセスにおいて前記第２キャリアユニットに従って第２セルの専用シグナリングを介して更新されたシステム情報を送信するように構成された送信手段とを備え、
前記第１セルは、前記装置が接続された複数のセルの一つであり、前記ユーザ装置によって使われるキャリアユニットに対応するセルであり、前記通信システムの基地局との接続を保持するセルである、無線送信装置。
【請求項１５】
通信システムにおける無線受信装置の受信方法であって、
前記装置によって使われ、更に、前記通信システムの基地局との接続を保持する第１キャリアユニットに対応する第１セルの専用シグナリングに介して、システム情報に変化が発生したことを示す情報および前記システム情報の変化に関わる第２キャリアユニットを識別する情報を含む第１情報を受信するとともに、前記第２キャリアユニットに従って第２セルのブロードキャストシグナリングを介して更新されたシステム情報を受信するステップと、
前記第２キャリアユニットを識別するために前記第１情報を解析するステップとを備え、
前記通信システムはキャリアアグリゲーションをサポートする、受信方法。
【請求項１６】
前記無線受信装置は、各々異なるセルに対応する複数のキャリアユニットをサポートし、前記受信するステップは、更に、前記システム情報の変化に関わるキャリアユニットを識別するために、前記専用シグナリング内の第１インジケータを受信することを含む、請求項１５に記載の受信方法。
【請求項１７】
前記受信するステップは、更に、前記システム情報の変化がキャリアアグリゲーション伝送に影響を与えるか否かを識別するために、前記ブロードキャストシグナリング内の第２インジケータを受信することを含む、請求項１５に記載の受信方法。
【請求項１８】
前記システム情報の変化が、キャリアセグメントを前記第２キャリアユニットに追加することであり、
前記第１情報が、追加される前記キャリアセグメントを示す第３インジケータを更に含み、
前記解析するステップは、更に、前記第３インジケータを取得し前記第３インジケータに基づいて前記システム情報を受信するか否かを判断するために、前記第１情報を解析することを含む、請求項１５に記載の受信方法。
【請求項１９】
前記第２キャリアユニットがアップリンク伝送に使われる場合又は、前記第２キャリアユニットがダウンリンク伝送に使われるがアップリンク情報も構成のために必要な場合、前記システム情報は、更に、アップリンクキャリア周波数、アップリンク伝送帯域幅、および前記第２キャリアユニットのアップリンクチャネルのための構成情報を有する、請求項１５に記載の受信方法。
【請求項２０】
前記受信するステップは、更に、前記システム情報のどの部分が更新されたかを判断するために、増量シグナリングを受信することを含む、請求項１５に記載の受信方法。
【請求項２１】
通信システムにおける無線受信装置の受信方法であって、
第１セルのみを介して、前記装置に関わるシステム情報に変化が発生したことを示す情報と、前記システム情報の変化に関わる第２キャリアユニットを識別するための情報とを含む第１情報を受信するとともに、前記第１情報の受信に後続するプロセスにおいて前記第２キャリアユニットに従って第２セルの専用シグナリングを介して更新されたシステム情報を受信するステップと、
前記第２キャリアユニットを識別するために前記第１情報を解析するステップとを備え、
前記第１セルは、前記装置が接続された複数のセルの一つであり、前記装置によって使われるキャリアユニットに対応するセルであり、前記通信システムの基地局との接続を保持するセルである、受信方法。
【請求項２２】
通信システムにおける無線送信装置の送信方法であって、
システム情報に変化が発生したことを示す情報および前記システム情報の変化に関わる第２キャリアユニットを識別する情報を含む第１情報を生成するステップと、
ユーザ装置によって使われ、更に、前記通信システムの基地局との接続を保持する第１キャリアユニットに対応する第１セルの専用シグナリングを介して、前記第１情報を送信するとともに、前記第２キャリアユニットに従って第２セルのブロードキャストシグナリングを介して更新されたシステム情報を送信するステップとを備え、
前記通信システムはキャリアアグリゲーションをサポートする、送信方法。
【請求項２３】
前記ユーザ装置は、各々異なるセルに対応する複数のキャリアユニットをサポートし、前記送信するステップは、更に、受信装置に前記システム情報の変化に関わるキャリアユニットを識別させるために、前記専用シグナリング内に第１インジケータを送信することを含む、請求項２２に記載の送信方法。
【請求項２４】
前記送信するステップは、更に、受信装置に前記システム情報の変化がキャリアアグリゲーション伝送に影響を与えるか否かを識別させるために、前記ブロードキャストシグナリング内に第２インジケータを送信することを含む、請求項２２に記載の送信方法。
【請求項２５】
前記システム情報の変化は、キャリアセグメントを前記第２キャリアユニットに追加することであり、前記第１情報は、更に、追加される前記キャリアセグメントを示す第３インジケータを含む、請求項２２に記載の送信方法。
【請求項２６】
前記第２キャリアユニットがアップリンク伝送に使われる場合又は、前記第２キャリアユニットがダウンリンク伝送に使われるがアップリンク情報も構成のために必要な場合、前記システム情報は、更に、アップリンクキャリア周波数、アップリンク伝送帯域幅、および前記第２キャリアユニットのアップリンクチャネルのための構成情報を有する、請求項２２に記載の送信方法。
【請求項２７】
前記送信するステップは、更に、受信装置に前記システム情報のどの部分が更新されたかを判断させるために、増量シグナリングを送信することを含む、請求項２２に記載の送信方法。
【請求項２８】
通信システムにおける無線送信装置の送信方法であって、
ユーザ装置に関わるシステム情報に変化が発生したことを示す情報および前記システム情報の変化に関わる第２キャリアユニットを識別する情報を含む第１情報を生成するステップと、
第１セルを介して前記第１情報を送信するとともに、前記第１情報の送信に後続するプロセスにおいて前記第２キャリアユニットに従って第２セルの専用シグナリングを介して更新されたシステム情報を送信するステップとを備え、
前記第１セルは、前記装置が接続された複数のセルの一つであり、前記ユーザ装置によって使われるキャリアユニットに対応するセルであり、前記通信システムの基地局との接続を保持するセルである、送信方法。
【請求項２９】
コンピュータに請求項１５から請求項２１のいずれか１項に記載の受信方法を実行させるコンピュータプログラムが格納されたコンピュータ読み取り可能な記録媒体。
【請求項３０】
コンピュータに請求項２２から請求項２８のいずれか１項に記載の送信方法を実行させるコンピュータプログラムが格納されたコンピュータ読み取り可能な記録媒体。
【発明の詳細な説明】
【技術分野】
【０００１】
本発明は、キャリアアグリゲーションをサポートする通信分野に関し、具体的には、キャリアアグリゲーションをサポートする通信システム及びシステム情報の更新方法並びにデバイスに関する。より具体的には、キャリアアグリゲーションをサポートする通信システムにおける無線通信装置、無線通信方法及び媒体に関する。
【背景技術】
【０００２】
将来のＬＴＥ−Ａ（Ｌｏｎｇ  Ｔｅｒｍ  Ｅｖｏｌｕｔｉｏｎ−Ａｄｖａｎｃｅｄ）システムは、１００ＭＨｚに達する伝送帯域幅をサポートすべきであるが、ＬＴＥ規格でサポートし得る最大伝送帯域幅は２０ＭＨｚであるため、複数のキャリアユニットをアグリゲーションして、より高い伝送帯域幅を実現する必要がある。キャリアアグリゲーション（Ｃａｒｒｉｅｒ  Ａｇｇｒｅｇａｔｉｏｎ）は、３ＧＰＰが将来の移動通信システムのより高い伝送帯域幅の需要を満たすために提出した、複数のキャリアユニットをアグリゲーションして連携伝送を行う技術である。
【発明の概要】
【発明が解決しようとする課題】
【０００３】
キャリアアグリゲーション技術の導入は、通信技術の発展に新しいチャンスと挑戦をもたらした。
【課題を解決するための手段】
【０００４】
以下、本発明の概要を説明し、本発明のいくつかの方面の基本理解を提供する。理解すべきことは、この概要は、本発明の網羅的な記述ではない。それは、本発明のキーポイント或いは重要な部分を特定するものではなく、本発明の範囲を限定するものでもない。その目的は、簡略化した形式で、いくつかの概念を提出し、それを後の詳細な記述の基にすることである。
【０００５】
本開示によれば、通信システムにおける無線通信装置であって、前記通信システムにおけるシステム情報に変化が発生した場合に、システム情報に変化が発生したことを示すための情報を含む第一の情報を発生する情報発生手段と、第一のセルのみでシステム情報の変化に係るユーザ装置に前記第一の情報を送信するとともに、前記第一の情報を送信した後の続くプロセスにおいて、更新されたシステム情報を送信するための送信手段と、を含み、前記第一のセルは、前記ユーザ装置が接続されたセルうちの一つであって、前記ユーザ装置の使用している前記通信システムの基地局との接続を保持するキャリアユニットに対応する、前記無線通信装置が提供される。
【０００６】
また、本開示によれば、通信システムにおける無線通信装置であって、前記通信システムにおけるシステム情報に変化が発生した場合に、システム情報に変化が発生したことを指示するための情報を含む第一の情報を発生する情報発生手段と、システム情報ブロックメッセージに前記第一の情報をカプセル化し、第一のセルのみでシステム情報の変化に係るユーザ装置へ前記システム情報ブロックメッセージを送信するための送信手段とを含み、前記第一のセルが前記ユーザ装置に接続されたセルうちの一つであって、前記ユーザ装置の使用している前記通信システムの基地局との接続を保持するキャリアユニットに対応する、前記無線通信装置が提供される。
【０００７】
また、本開示によれば、通信システムにおける無線通信装置であって、前記通信システムにおけるユーザ装置のためにセルを増加すべき場合に、前記セルが増加される情報を示すための情報と前記セルを増加するための操作に関するシステム情報とを含む第一の情報を発生するための情報発生手段と、専用チャンネルを介して前記第一の情報を、セルを増加すべきユーザ装置に送信するための送信手段と、を含む前記無線通信装置が提供される。
【０００８】
また、本開示によれば、通信システムにおける無線通信装置であって、前記通信システムにおけるユーザ装置のためにセルを増加すべき場合に、前記セルが増加される情報を示すための情報と前記セルを増加するための操作に関するシステム情報とを含む第一の情報を発生するための情報発生手段と、第一のセルにより前記第一の情報をユーザ装置に送信するための送信手段とを含み、前記第一のセルは、前記ユーザ装置に接続されたセルうちの一つであって、前記ユーザ装置の使用している前記通信システムの基地局との接続を保持するキャリアユニットに対応する、前記無線通信装置が提供される。
【０００９】
また、本開示によれば、通信システムにおける無線通信装置であって、第一のセルのみで前記無線通信装置に関するシステム情報に変化が発生したことを示す情報を含む第一の情報を受信するとともに、前記第一の情報が受信された後の続くプロセスにおいて、更新されたシステム情報を受信するための受信手段を含み、前記第一のセルは前記無線通信装置に接続されたセルうちの一つであって、前記無線通信装置の使用している前記通信システムの基地局との接続を保持するキャリアユニットに対応する前記無線通信装置が提供される。
【００１０】
また、本開示によれば、通信システムにおける無線通信装置であって、第一のセルのみで第一の情報をカプセル化したシステム情報ブロックメッセージを受信するための受信手段を含み、前記第一の情報は、前記無線通信装置に関するシステム情報に変化が発生したことを示す情報を含み、前記第一のセルは、前記無線通信装置に接続されたセルうちの一つであって、前記無線通信装置の使用している前記通信システムの基地局との接続を保持するキャリアユニットに対応する、前記無線通信装置が提供される。
【００１１】
また、本開示によれば、通信システムにおける無線通信装置であって、専用チャンネルにより第一の情報を受信するための受信手段を含み、前記第一の情報は、前記無線通信装置のためにセルを増加すべき情報を示す情報と前記セルを増加する操作に関するシステム情報とを含む前記無線通信装置が提供される。
【００１２】
また、本開示によれば、通信システムにおける無線通信装置であって、第一のセルにより第一の情報を受信するための受信手段を含み、前記第一の情報は前記無線通信装置のためにセルを増加すべきことを示す情報と前記セルを増加する操作に関するシステム情報とを含み、前記第一のセルは、前記無線通信装置に接続されたセルうちの一つであって、前記無線通信装置の使用している前記通信システムの基地局との接続を保持するキャリアユニットに対応する、前記無線通信装置が提供される。
【００１３】
また、本開示によれば、通信システムにおける無線通信方法であって、前記通信システムにおけるシステム情報に変化が発生した場合に、システム情報に変化が発生したことを示すための情報を含む第一の情報を発生し、第一のセルのみで前記システム情報の変化に係るユーザ装置へ前記第一の情報を送信するとともに、前記第一の情報を送信した後の続くプロセスにおいて更新されたシステム情報を送信することを含み、前記第一のセルは前記ユーザ装置に接続されたセルうちの一つであって、前記ユーザ装置の使用している前記通信システムの基地局との接続を保持するキャリアユニットに対応する無線通信するための方法が提供される。
【００１４】
また、本開示によれば、通信システムにおける無線通信方法であって、前記通信システムにおけるシステム情報に変化が発生した場合に、システム情報に変化が発生したことを示すための情報を含む第一の情報を発生し、前記第一の情報をシステム情報ブロックメッセージにカプセル化し、第一のセルのみでシステム情報の変化に係るユーザ装置へ前記システム情報ブロックメッセージを送信することを含み、前記第一のセルは前記ユーザ装置に接続されたセルうちの一つであって、前記ユーザ装置の使用している前記通信システムの基地局との接続を保持するキャリアユニットに対応する、無線通信方法が提供される。
【００１５】
また、本開示によれば、通信システムにおける無線通信方法であって、前記通信システムにおけるユーザ装置のためにセルを増加すべき場合に、前記セルを増加すべきことを示すための情報と前記セルを増加する操作に関するシステム情報とを含む第一の情報を発生し、専用チャンネルを介して前記第一の情報を、前記セルを増加すべきユーザ装置に送信することを含む無線通信する方法が提供される。
【００１６】
また、本開示によれば、通信システムにおける無線通信方法であって、前記通信システムにおけるユーザ装置のためにセルを増加すべき場合に、前記セルを増加すべきことを示すための情報と前記セルを増加する操作に関するシステム情報とを含む第一の情報を発生し、第一のセルにより前記ユーザ装置に前記第一の情報を送信することを含み、前記第一のセルは前記ユーザ装置に接続されたセルうちの一つであって、前記ユーザ装置の使用している前記通信システムの基地局との接続を保持するキャリアユニットに対応する無線通信するための方法が提供される。
【００１７】
また、本開示によれば、通信システムにおける無線通信方法であって、第一のセルのみで第一の情報を受信することを含み、前記第一の情報は、無線通信装置に関するシステム情報に変化が発生したことを示すための情報と、前記第一の情報が受信された後の続くプロセスにおいて受信した更新されたシステム情報とを含み、前記第一のセルは前記無線通信装置に接続されたセルうちの一つであって、前記無線通信装置の使用している前記通信システムの基地局との接続を保持するキャリアユニットに対応する無線通信方法が提供される。
【００１８】
また、本開示によれば、通信システムにおける無線通信方法であって、第一のセルのみで第一の情報がカプセル化されたシステム情報ブロックメッセージを受信し、前記システム情報ブロックメッセージに対してカプセルを除去することを含み、前記第一の情報は、無線通信装置に関するシステム情報に変化が発生したことを示す情報を含み、前記第一のセルは前記無線通信装置に接続されたセルうちの一つであって、前記無線通信装置の使用している前記通信システムの基地局との接続を保持するキャリアユニットに対応する無線通信するための方法が提供される。
【００１９】
また、本開示によれば、通信システムにおける無線通信方法であって、専用チャンネルを介して第一の情報を受信することを含み、前記第一の情報は、無線通信装置のためにセルを増加すべき情報を示すための情報と前記セルを増加する操作に関するシステム情報とを含む、前記無線通信方法が提供される。
【００２０】
また、本開示によれば、通信システムにおける無線通信方法であって、第一のセルにより第一の情報を受信することを含み、前記第一の情報は、無線通信装置のためにセルを増加すべき情報を示すための情報と前記セルを増加する操作に関するシステム情報とを含み、前記第一のセルは前記無線通信装置に接続されたセルうちの一つであって、前記無線通信装置の使用している前記通信システムの基地局との接続を保持するキャリアユニットに対応する無線通信方法が提供される。
【００２１】
また、本開示によれば、通信システムにおける無線通信装置であって、少なくとも一つのプロセッサを含み、当該少なくとも一つのプロセッサは、前記通信システムにおけるシステム情報に変化が発生した場合に、システム情報に変化が発生したことを示すための情報を含む第一の情報を発生し、第一のセルのみでシステム情報の変化に係るユーザ装置へ前記第一の情報を送信し、前記第一の情報を送信した後の続くプロセスにおいて更新されたシステム情報を送信し、前記少なくとも一つのプロセッサの記憶装置にカップリングするように配置され、前記第一のセルは、前記ユーザ装置に接続されたセルうちの一つであって、前記ユーザ装置の使用している前記通信システムの基地局との接続を保持するキャリアユニットに対応する、前記無線通信装置が提供される。
【００２２】
また、本開示によれば、コードを記憶する非易失性の機器による読み取り可能な媒体であって、前記コードは機器よって実行され、通信システムにおけるシステム情報に変化が発生した場合に、システム情報に変化が発生したことを示すための情報を含む第一の情報を発生し、第一のセルのみでシステム情報の変化に係るユーザ装置へ前記第一の情報を送信し、前記第一の情報を送信した後の続くプロセスにおいて更新されたシステム情報を送信するために用いられ、前記第一のセルは前記ユーザ装置に接続されたセルうちの一つであって、前記ユーザ装置の使用している前記通信システムの基地局との接続を保持するキャリアユニットに対応する、前記媒体が提供される。
【００２３】
また、本開示によれば、通信システムにおける無線通信装置であって、：少なくとも一つのプロセッサを含み、当該少なくとも一つのプロセッサは、前記通信システムにおけるシステム情報に変化が発生した場合に、システム情報に変化が発生したことを示すための情報を含む第一の情報を発生し、第一の情報をシステム情報ブロックメッセージにカプセル化し、第一のセルのみでシステム情報の変化に係るユーザ装置へ前記システム情報ブロックメッセージを送信し、前記少なくとも一つのプロセッサの記憶装置にカップリングするように配置され、前記第一のセルは前記ユーザ装置に接続されたセルうちの一つであって、前記ユーザ装置の使用している前記通信システムの基地局との接続を保持するキャリアユニットに対応する、前記無線通信装置が提供される。
【００２４】
また、本開示によれば、コードを記憶する非易失性の機器による読み取り可能な媒体であって、前記コードは機器よって実行され、通信システムにおけるシステム情報に変化が発生した場合に、システム情報に変化が発生したことを示すための情報を含む第一の情報を発生し、第一の情報をシステム情報ブロックメッセージにカプセル化し、第一のセルのみでシステム情報の変化に係るユーザ装置へ前記システム情報ブロックメッセージを送信するために用いられ、前記第一のセルは前記ユーザ装置に接続されたセルうちの一つであって、前記ユーザ装置の使用している前記通信システムの基地局との接続を保持するキャリアユニットに対応する、前記媒体が提供される。
【００２５】
また、本開示によれば、通信システムにおける無線通信装置であって、少なくとも一つのプロセッサを含み、当該少なくとも一つのプロセッサは、前記通信システムにおけるユーザ装置のためにセルを増加すべき場合に、前記セルを増加すべきことを示すための情報と前記セルを増加する操作に関するシステム情報とを含む第一の情報を発生し、専用チャンネルを介して前記第一の情報を、前記セルを増加すべきユーザ装置に送信し、前記少なくとも一つのプロセッサの記憶装置にカップリングするように配置される前記無線通信装置が提供される。
【００２６】
また、本開示によれば、コードを記憶する非易失性の機器による読み取り可能な媒体であって、前記コードは機器よって実行され、通信システムにおけるユーザ装置のためにセルを増加すべき場合に、前記セルを増加すべきことを示すための情報と前記セルを増加する操作に関するシステム情報とを含む第一の情報を発生し、専用チャンネルを介して前記第一の情報を、前記セルを増加すべきユーザ装置に送信するために用いられる前記媒体が提供される。
【００２７】
また、本開示によれば、通信システムにおける無線通信装置であって、少なくとも一つのプロセッサを含み、当該少なくとも一つのプロセッサは、前記通信システムにおけるユーザ装置のためにセルを増加すべき場合に前記セルを増加すべきことを示すための情報と前記セルを増加する操作に関するシステム情報とを含む第一の情報を発生し、第一のセルにより前記第一の情報をユーザ装置に送信し、前記少なくとも一つのプロセッサの記憶装置にカップリングするように配置され、前記第一のセルは前記ユーザ装置に接続されたセル中の一つであって、前記ユーザ装置の使用している前記通信システムの基地局との接続を保持するキャリアユニットに対応する前記無線通信装置が提供される。
【００２８】
また、本開示によれば、コードを記憶する非易失性の機器による読み取り可能な媒体であって、前記コードは機器よって実行され、通信システムにおけるユーザ装置のためにセルを増加すべき場合に、前記セルを増加すべきことを示すための情報と前記セルを増加する操作に関するシステム情報とを含む第一の情報を発生し、第一のセルにより前記第一の情報をユーザ装置に送信するために用いられ、前記第一のセルは前記ユーザ装置に接続されたセルうちの一つであって、前記ユーザ装置の使用している前記通信システムの基地局との接続を保持するキャリアユニットに対応する前記媒体が提供される。
【００２９】
また、本開示によれば、通信システムにおける無線通信装置であって、少なくとも一つのプロセッサを含み、当該少なくとも一つのプロセッサは、第一のセルのみで第一の情報を受信し、前記少なくとも一つのプロセッサの記憶装置にカップリングするように配置され、前記装置に関するシステム情報に変化が発生したことを示す情報を含む第一の情報と、前記第一の情報が受信された後の続くプロセスにおいて受信した更新されたシステム情報とを含み、前記第一のセルは前記装置に接続されたセルうちの一つであって、前記装置の使用している前記通信システムの基地局との接続を保持するキャリアユニットに対応する、前記無線通信装置が提供される。
【００３０】
また、本開示によれば、コードを記憶する非易失性の機器による読み取り可能な媒体であって、前記コードは機器よって実行され、第一のセルのみで第一の情報を受信するために用いられ、無線通信装置に関するシステム情報に変化が発生したことを示す情報を含む第一の情報と、前記第一の情報が受信された後の続くプロセスにおいて受信した更新されたシステム情報とを含み、前記第一のセルは前記無線通信装置に接続されたセルうちの一つであって、前記無線通信装置の使用している通信システムの基地局との接続を保持するキャリアユニットに対応するコードを記憶する前記媒体が提供される。
【００３１】
また、本開示によれば、通信システムにおける無線通信装置であって、少なくとも一つのプロセッサを含み、第一のセルのみで第一の情報がカプセル化されたシステム情報ブロックメッセージを受信し、このシステム情報ブロックメッセージに対してカプセルを除去し、前記少なくとも一つのプロセッサの記憶装置にカップリングするように配置され、前記第一の情報は、前記無線通信装置に関するシステム情報に変化が発生したことを示す情報を含み、前記第一のセルは前記無線通信装置に接続されたセル中の一つであって、前記無線通信装置の使用している前記通信システムの基地局との接続を保持するキャリアユニットに対応する前記無線通信装置が提供される。
【００３２】
また、本開示によれば、コードを記憶する非易失性の機器による読み取り可能な媒体であって、前記コードは機器よって実行され、第一のセルだけより第一の情報がカプセル化されたシステム情報ブロックメッセージを受信し、このシステム情報ブロックメッセージに対してカプセルを除去するために用いられ、前記第一の情報は、無線通信装置に関するシステム情報に変化が発生したことを示すための情報を含み、前記第一のセルは前記無線通信装置に接続されたセル中の一つであって、前記無線通信装置の使用している通信システムの基地局との接続を保持するキャリアユニットに対応する前記媒体が提供される。
【００３３】
また、本開示によれば、通信システムにおける無線通信装置であって、少なくとも一つのプロセッサを含み、専用チャンネルを介して第一の情報を受信し、前記少なくとも一つのプロセッサの記憶装置にカップリングするように配置され、前記第一の情報は前記装置のためにセルを増加すべき情報と、前記セルを増加する操作に関するシステム情報とを含む、前記無線通信装置が提供される。
【００３４】
また、本開示によれば、コードを記憶する非易失性の機器による読み取り可能な媒体であって、前記コードは機器よって実行され、専用チャンネルを介して第一の情報を受信するために用いられ、前記第一の情報は無線通信装置のためにセルを増加すべき情報と、前記セルを増加する操作に関するシステム情報を含む前記媒体が提供される。
【００３５】
また、本開示によれば、通信システムにおける無線通信装置であって、少なくとも一つのプロセッサを含み、第一のセルにより第一の情報を受信し、前記少なくとも一つのプロセッサの記憶装置にカップリングされるように配置され、前記第一の情報は、前記装置のためにセルを増加すべき情報を示すための情報と前記セルを増加する操作に関するシステム情報とを含み、前記第一のセルは前記装置に接続されたセル中の一つであって、前記装置の使用している前記通信システムの基地局との接続を保持するキャリアユニットに対応する前記無線通信装置が提供される。
【００３６】
また、本開示によれば、コードを記憶する非易失性の機器による読み取り可能な媒体であって、前記コードは機器によって実行され、第一のセルにより第一の情報を受信するために用いられ、前記第一の情報は、無線通信装置のためにセルを増加すべき情報を示すための情報と前記セルを増加する操作に関するシステム情報とを含み、前記第一のセルは前記無線通信装置に接続されたセルうちの一つであって、前記無線通信装置の使用している通信システムの基地局との接続を保持するキャリアユニットに対応する前記媒体が提供される。
【００３７】
また、本発明の実施例で、上記方法を実現するためのコンピュータプログラムを提供した。
【００３８】
さらに、本発明の実施例で、少なくともコンピュータで読み取り可能な媒体形式のコンピュータプログラム製品を提供した。それには、上記方法を実現するためのコンピュータプログラムコードが記録されている。
【図面の簡単な説明】
【００３９】
以下のように図面に基づいて、本発明の実施例を説明することにより、本発明の以上及びその他の目的、特徴、長所はより明らかになるだろう。図面における部品は、本発明の原理を示すためのものである。図面において、同一或いは類似する技術的特徴、部品は、同一或いは類似する符号で示す。
【００４０】
【図１】キャリアアグリゲーションをサポートする通信システムの例示的な構成図を示す。
【００４１】
【図２】本発明の一実施例によるキャリアアグリゲーションの場合、端末に情報を提供することによりシステム情報の更新を実現する方法のフローチャートを模式的に示す。
【００４２】
【図３】図１に示す通信システムにおけるいくつかの端末の特別セルを模式的に示す。
【００４３】
【図４】第１のセルにより端末に第１の情報を送信する流れを例示的に示す。
【図５】第１のセルにより端末に第１の情報を送信する流れを例示的に示す。
【００４４】
【図６】図２に示す実施例によるキャリアアグリゲーションをサポートする通信システムにおいて端末で情報を受信することによりシステム情報の更新を実現する方法を例示的に示す。
【００４５】
【図７】図４に示す送信の流れの例に対応する一つの受信の流れの例を示す。
【００４６】
【図８】図５に示す送信の流れの例に対応する一つの受信の流れの例を示す。
【００４７】
【図９】本発明の一実施例による、キャリアアグリゲーションをサポートする通信システムにおいてシステム情報の更新を通知する方法の流れを例示的に示す。
【００４８】
【図１０】本発明の実施例による、キャリアアグリゲーションをサポートする通信システムにおいてシステム情報の変化の通知を受信する方法の流れを例示的に示す。
【００４９】
【図１１】第１のセルにより端末に通知情報を送信する流れを例示的に示す。
【図１２】第１のセルにより端末に通知情報を送信する流れを例示的に示す。
【００５０】
【図１３】図１１に示す送信の流れの例に対応する一つの受信の流れの例を示す。
【００５１】
【図１４】図１２に示す送信の流れの例に対応する一つの受信の流れの例を示す。
【００５２】
【図１５】本発明の一実施例による、キャリアアグリゲーションをサポートする通信システムにおいて更新されたシステム情報を提供する方法の流れを例示的に示す。
【００５３】
【図１６】本発明の実施例による、キャリアアグリゲーションをサポートする通信システムにおいて更新されたシステム情報を受信する方法の流れを例示的に示す。
【００５４】
【図１７】本発明の他の実施例による、更新されたシステム情報を受信する方法の流れを例示的に示す。
【００５５】
【図１８】本発明の他の実施例による、更新されたシステム情報を受信する方法の流れを例示的に示す。
【００５６】
【図１９】キャリアアグリゲーションの場合、拡張した既知シグナリングを採用して第１のブロードキャストシグナリングとしてシステム情報の変化を通知する模式図を示す。
【００５７】
【図２０】キャリアアグリゲーションの場合、専用シグナリングを採用してシステム情報の変化を通知する模式図を示す。
【００５８】
【図２１】本発明の一実施例による、キャリアアグリゲーションをサポートする通信システムにおいて更新されたシステム情報を提供する方法の流れを例示的に示す。
【００５９】
【図２２】第１のセルにより端末に更新されたシステム情報を含む第１の情報を送信する流れを例示的に示す。
【図２３】第１のセルにより端末に更新されたシステム情報を含む第１の情報を送信する流れを例示的に示す。
【００６０】
【図２４】本発明の実施例による、端末で更新されたシステム情報を受信する流れを例示的に示す。
【図２５】本発明の実施例による、端末で更新されたシステム情報を受信する流れを例示的に示す。
【図２６】本発明の実施例による、端末で更新されたシステム情報を受信する流れを例示的に示す。
【００６１】
【図２７】本発明の一実施例による、キャリアユニットを追加しようとする場合、システム情報を提供する方法の流れを例示的に示す。
【００６２】
【図２８】図２７に示す流れに対応する、端末でシステム情報を受信する流れを例示的に示す。
【００６３】
【図２９】本発明の他の実施例による、現在使用するキャリアユニットにキャリアセグメントを追加する場合、キャリアセグメントに関するシステム情報を提供する方法の流れを例示的に示す。
【００６４】
【図３０】図２９に示す流れに対応する、現在使用するキャリアユニットにキャリアセグメントを追加する場合、キャリアセグメントに関するシステム情報を受信する方法の流れを例示的に示す。
【００６５】
【図３１】本発明の一実施例による、キャリアアグリゲーションをサポートする通信システムにおいてシステム情報を提供するデバイスのブロック図を模式的に示す。
【００６６】
【図３２】本発明の実施例による、キャリアアグリゲーションをサポートする通信システムにおいてシステム情報を受信するデバイスのブロック図を模式的に示す。
【００６７】
【図３３】本発明の一実施例による、キャリアアグリゲーションをサポートする通信システムにおいてシステム情報の更新を通知するためのデバイスのブロック図を模式的に示す。
【００６８】
【図３４】本発明の実施例による、キャリアアグリゲーションをサポートする通信システムにおいてシステム情報の更新通知を受信するデバイスのブロック図を模式的に示す。
【００６９】
【図３５】本発明の一実施例による、キャリアユニットを追加しようとする場合、システム情報を送信するためのデバイスのブロック図を模式的に示す。
【００７０】
【図３６】本発明の実施例による、キャリアユニットを追加しようとする場合、システム情報を受信するデバイスのブロック図を模式的に示す。
【００７１】
【図３７】キャリアアグリゲーションの場合にキャリアユニットを追加する時、端末が更新されたシステム情報を取得する模式図を示す。
【００７２】
【図３８】本発明を実現するためのコンピュータ構成のブロック図を例示的に示す。
【発明を実施するための形態】
【００７３】
以下、図面に基づいて、本発明の実施例を説明する。本発明の一つの図面或いは一つの実施形態で記述した要素及び特徴は、一つ或いは複数の他の図面或いは実施形態で示した要素及び特徴と組み合わせることができる。注意すべきことを明らかにするために、図面と説明で、本発明と関係しない、当業者に知られている部品と処理の表示と記述は省略した。
【００７４】
本発明のいくつかの実施例で、キャリアアグリゲーションをサポートする通信システムにおいてシステム情報の更新を行う方法及びデバイス並びに前記デバイスを含む通信システム等を提供する。
【００７５】
図１に、キャリアアグリゲーションをサポートする通信システムを例示的に示す。図１に示すように、当該通信システムは、基地局（例えば、ｅ−ＮｏｄｅＢ）１０１及びユーザ端末１０２、１０３、１０４を含む。図１に示す例示で、通信システムがサポートするキャリアユニットはＣＣ１、ＣＣ２、ＣＣ３を含む。なお、端末１０２はキャリアユニットＣＣ１、ＣＣ２を使用することができ、端末１０３はキャリアユニットＣＣ２、ＣＣ３をサポートすることができ、端末１０４はキャリアユニットＣＣ１、ＣＣ２、ＣＣ３をサポートすることができ、言い換えると、端末１０２、１０３、１０４はいずれもキャリアアグリゲーション（ＣＡ−Ｓ）をサポートする端末である。例示として、当該通信システムは、さらにキャリアアグリゲーションをサポートしない（ＣＡ−ＮＳ）端末１０５を含むことができ、図１に示すように、当該端末１０５はキャリアユニットＣＣ１のみ使用することができる。当該通信システムがサポートする各キャリアユニットで、キャリアユニットＣＣ１はキャリアユニットＣＣ２と連続し、キャリアユニットＣＣ３はキャリアユニットＣＣ１及びＣＣ２と連続しない。図１に示す通信システムはキャリアアグリゲーションをサポートする端末も含み、キャリアアグリゲーションをサポートしない端末も含む。理解すべきことは、これは例示的であり、本発明はこのような通信システムに限られない。例えば、本発明は、基地局とキャリアアグリゲーションをサポートする端末のみを含む通信システム、基地局、中継局とユーザ端末を含む通信システム、その他のキャリアアグリゲーションをサポートする通信システムに適用することもできる。ここでは一々の列挙を省略する。
【００７６】
理解すべきことは、本明細書と特許請求の範囲における「ユーザ端末（Ｕｓｅｒ  Ｅｑｕｉｐｍｅｎｔ、ＵＥ）」或いは「端末」は、ユーザが使用する、通信ネットワークにアクセスするためのモバイルデバイス、例えば携帯電話（図１の１０２と１０３等）、ＰＤＡ（Ｐｅｒｓｏｎａｌ  Ｄｉｇｉｔａｌ  Ａｓｓｉｓｔａｎｔｓ）、ノートパソコン等を含むことができるが、これらに限られない。
【００７７】
通信システムのシステム情報は、常に最新状態に保持する必要がある。システム情報に変化が発生した場合、通信システムのマスターノード（例えば基地局）はある方式により端末に通知する必要がある。キャリアアグリゲーションをサポートする通信システムにおいて、端末は複数のキャリアユニットを介して通信システムのマスターノードと通信を行うことができる。例えば、図１に示す端末１０４は、三つのキャリアユニットＣＣ１、ＣＣ２、ＣＣ３を介して基地局と通信を行うことができる。異なるキャリアユニットの伝播特性は異なるため、異なるキャリアユニットのカバー範囲が異なり、ある端末がそれをサポートするあるキャリアユニットのカバー範囲以外に移動し、且つこの時システム情報に更新が発生した場合、当該キャリアユニットが対応するセルにより新しいシステム情報を送信すると、端末は受信できない。このように、当該端末が再び当該キャリアユニットのカバー領域に入ると、システム情報が正確でないため、当該キャリアユニットは使用できない。
【００７８】
図２に、本発明の一実施例による、キャリアアグリゲーションの場合、端末に情報を提供することによりシステム情報の更新を実現する方法のフローチャートを模式的に示す。
【００７９】
図２に示すように、当該方法はステップＳ２０２、Ｓ２０４、Ｓ２０６を含む。
【００８０】
ステップＳ２０２で、上記通信システムのシステム情報に変化が発生した場合、システム情報に変化が発生したことを指示するための情報を生成する。便宜上、以下に当該ステップにおける情報を第１の情報と称する。
【００８１】
ここでの通信システムは、キャリアアグリゲーションをサポートする通信システムであって、例えば図１に示す通信システムである。当該通信システムのマスターノード（例えば基地局）により、当該通信システムのシステム情報に変化が発生したかを判断でき、例えば、マスターノード（基地局）の対応する配置ファイルから関連情報を取得して、システム情報に変化が発生したかを特定することができる。
【００８２】
ステップＳ２０４で、システム情報の変化に係わる端末に第１の情報を送信する際に使用するセルを特定する。
【００８３】
上述のように、キャリアアグリゲーションをサポートする通信システムにおいて、端末は複数のキャリアユニットを介して通信システムのマスターノードと通信を行うことができ、各キャリアユニットは一つのセルに対応する。各端末が接続するセルに、特別セル（Ｓｐｅｃｉａｌ  Ｃｅｌｌ）があり、当該特別セルはセキュリティ入力及び非アクセス層（Ｎｏｎ  Ａｃｃｅｓｓ  Ｓｔｒａｔｕｍ、ＮＡＳ）移動性情報等の提供に用いることができ、当該特別セルは端末が使用している、通信システムのマスターノード（例えば基地局）と接続を保持するあるキャリアユニットに対応する。一例として、各端末に対して、特別セルを一つのみ設けることができる。言い換えると、以下のように限定することができる。即ち、各端末は一つの特別セルに接続し、当該特別セルは基地局と接続を保持するあるキャリアユニットに対応し、当該端末がサポートする他のキャリアユニットは当該端末のアップリンク及び／又はダウンリンクリソースとして用いることができる。一例として、これらの他のキャリアユニットが対応するセルは、サービングセル（Ｓｅｒｖｉｎｇ  Ｃｅｌｌ）と称することができる。
【００８４】
図３に、図１に示した通信システムにおけるいくつかの端末の特別セルを示す。図３に示すように、端末１０２（ＵＥ１０２）はキャリアユニットＣＣ１とＣＣ２をサポートし、ＣＣ１が対応するセルは端末１０２の特別セルであり、端末１０３（ＵＥ１０３）はキャリアユニットＣＣ２とＣＣ３をサポートし、ＣＣ２が対応するセルは端末１０３の特別セルであり、端末１０４（ＵＥ１０４）はキャリアユニットＣＣ１、ＣＣ２、ＣＣ３をサポートし、ＣＣ３が対応するセルは端末１０４の特別セルである。
【００８５】
システム情報に変化が発生した場合、基地局が対応する配置ファイルに基づいて、当該変化をどの／どれらの端末（即ち、当該変化に係わる端末）に通知するかを判断し、各端末の特別セルを当該端末に第１の情報を送信するためのセルとして特定する。
【００８６】
一例として、基地局により端末が接続した一つ或いは複数のセルから一つ選択して特別セルとすることができる。具体的に、基地局は対応する配置ファイル或いは端末からフィードバックした情報（例えばチャネル品質、信号強度、端末位置等）に基づいて、一定の基準（当該特別セルにより基地局との接続を保持する）に沿って、端末が接続した一つ或いは複数のセルから一つ選択して特別セルとすることができる。例えば、基地局は、端末に第１の情報を送信する前に端末の特別セルを選択し、選択結果を端末に通知することができる。また、基地局は、定期的或いは必要に応じて（例えば、端末があるセルのカバー範囲のエッジ或いは以外に移動した場合）当該選択ステップを実行し、選択結果を端末に通知して基地局の対応する配置ファイルに保存することができる。このようにして、基地局は当該端末の特別セルを特定する必要がある時、対応する配置ファイルで探すことができる。
【００８７】
他の一例として、端末がその特別セルを選択して、基地局に通知することもできる。例えば、端末は、自己配置に基づいてその各セルと基地局の接続状態を判断し、基地局と接続を保持するセルから一つ選択して特別セルとして、後のシステム情報の転送に用いることができる。例えば、端末は定期的或いはその移動状況（例えば、それがあるセルのカバー範囲のエッジ或いは以外に移動した場合）、或いはその他の情報（例えばチャネル品質、信号強度等）によりその特別セルを新たに設置するか或いは選択し、且つ特別セルに関する情報を基地局に送信することができる。基地局はこのような情報を対応する配置ファイルに保存することができる。このようにして、基地局は端末の特別セルを特定する必要がある時、直接に当該配置ファイルで探すことができる。その代わりに、基地局は端末の特別セルを特定する必要がある時、端末に要求を送信して、端末が端末の特別セルに関する情報をフィードバックするように要求することもできる。
【００８８】
以上のように、ステップＳ２０４で特定した特別セルは、端末が接続したセルのうちの一つであり、端末が使用している、通信システムのマスターノードと接続を保持するキャリアユニットに対応する。便宜上、以下で特別セルを第１のセルと称する。
【００８９】
そして、ステップＳ２０６で、第１のセルにより端末に第１の情報を送信する。
【００９０】
キャリアアグリゲーションをサポートする通信システムにおいて、第１のセルは常にシステムのマスターノード（基地局）と接続を保持するため、上記方法を利用することにより、端末が受信できないことを避け、システム情報の提供或いは更新を実現することができる。また、基地局は端末の各セルにより端末にシステム情報を送信し、或いはシステム情報の更新を通知する必要がないため、システムのシグナリング負担を低減することができる。
【００９１】
図４及び図５にそれぞれ第１のセルにより端末に第１の情報を送信する流れを例示的に示す。
【００９２】
図４に示す例において、第１のセルにより端末に第１の情報を送信するステップは、サブステップＳ４０６−１、Ｓ４０６−２を含むことができる。サブステップＳ４０６−１で、前のステップで生成した第１の情報を専用シグナリング（便宜上、以下で第１の専用シグナリングと称する）にパッケージングする。そして、サブステップＳ４０６−２で、第１のセルにより端末に第１の専用シグナリングを送信する。ここで、サブステップＳ４０６−１で生成したシグナリングが専用シグナリングであるため、サブステップＳ４０６−２で、第１のセルの専用チャネルで当該専用シグナリングを送信する。
【００９３】
本明細書及び特許請求の範囲で、あるキャリアユニットが対応するセルにより専用シグナリングを送信することは、当該セルの専用チャネルにより当該専用シグナリングを送信することを指す。以下では説明を省略する。専用チャネルは専用制御チャネル（Ｄｅｄｉｃａｔｅｄ  Ｃｏｎｔｒｏｌ  Ｃｈａｎｎｅｌ、ＤＣＣＨ）と称することができ、例えば、ＬＴＥ規格（ＥＴＳＩ  ＴＳ  １３６  ３３１  Ｖ８．５．０のように）におけるＤＣＣＨチャネルである。
【００９４】
通信システムにおいてキャリアアグリゲーションをサポートする端末が多く、且つ配置したキャリアユニット数が多い場合、専用シグナリングの方式で端末に第１の情報を送信する（即ち、第１のセルの専用チャネルで第１の情報を送信する）と、システム全体にもたらすシグナリング負荷が顕著に増加する。この場合、図５に示す方法の流れを採用することができる。図５に示す例示で、第１のセルにより端末に第１の情報を送信するステップは、サブステップＳ５０６−１、Ｓ５０６−２を含むことができる。サブステップＳ５０６−１で、前のステップで生成した第１の情報をブロードキャストシグナリング（便宜上、以下で第１のブロードキャストシグナリングと称する）にパッケージングする。そして、サブステップＳ５０６−２で、第１のセルのブロードキャストチャネルにより端末に第１のブロードキャストシグナリングを送信する。ブロードキャストチャネルはブロードキャスト制御チャネル（Ｂｒｏａｄｃａｓｔ  Ｃｏｎｔｒｏｌ  Ｃｈａｎｎｅｌ、ＢＣＣＨ）と称することができ、例えば、ＬＴＥ規格（ＥＴＳＩ  ＴＳ  １３６  ３３１  Ｖ８．５．０のように）におけるＢＣＣＨチャネルである。図４に示す専用シグナリングの方式と比べて、図５に示すブロードキャストシグナリングの方式を利用すると、システムのシグナリング負荷を有効に低減することができる。
【００９５】
図２、図４、図５に示す実施例／例示で、通信システムのマスターノード（基地局）から端末に情報を送信する流れを例示的に示した。図６〜図８で、対応する、端末が情報を受信する流れを例示的に示す。
【００９６】
具体的に、図６は、図２に示す実施例による、キャリアアグリゲーションをサポートする通信システムにおいて端末で情報を受信することによりシステム情報の更新を実現する方法を例示的に示す。
【００９７】
図６に示すように、当該方法はステップＳ６０７とＳ６０９を含む。
【００９８】
ステップＳ６０７で、端末は、基地局が第１のセルを介して送信した、システム情報に変化が発生したことを指示するための情報を含む第１の情報を受信する。言い換えると、端末は第１のセルに対応するキャリアユニット（第１のキャリアユニットと称することができる）をモニタリングすることにより第１の情報を受信する。ここでの第１のセルは上記実施例／例示の第１のセルと同じであり、ここでは説明を省略する。
【００９９】
ステップＳ６０９で、システム情報の更新を行うために、端末は受信した第１の情報を解析して、システム情報に変化が発生したことを指示するための情報を取得する。
【０１００】
上記受信方法により、端末はシステム情報の変化を直ちに知ることができる。第１のセル（例えば特別セル）により基地局との接続を常に保持するため、受信できないことを避ける。また、第１のセルを利用することにより、端末はそれがサポートする全てのキャリアユニットの対応するセルをモニタリングする必要がないため、端末の消費電力を大幅に低減でき、端末バッテリの使用時間を延長できる。
【０１０１】
図２に示す送信の流れと図６に示す受信の流れは、キャリアアグリゲーションをサポートする通信システムにおいてシステム情報の更新を行う完全な方法の流れを構成する。
【０１０２】
図７に、図４に示す送信の流れの例に対応する一つの受信の流れの例を示す。図４に示すように、第１の情報は専用シグナリング（第１の専用シグナリング）にパッケージングされて第１のセルにより端末に送信される。よって、ステップＳ７０７で、端末はその第１のセルにより第１の情報がパッケージングされた第１の専用シグナリングを受信する。言い換えると、端末はその第１のセルの専用チャネルをモニタリングすることにより第１の専用シグナリングを受信する。ステップＳ６０９と類似するように、ステップＳ７０９で端末は第１の専用シグナリングを解析し、システム情報に変化が発生したことを指示するための情報を取得する。
【０１０３】
図８に、図５に示す送信の流れの例に対応する一つの受信の流れの例を示す。図５に示すように、第１の情報はブロードキャストシグナリング（第１のブロードキャストシグナリング）にパッケージングされて第１のセルのブロードキャストチャネルにより端末に送信される。よって、ステップＳ８０７で、端末は第１のセルのブロードキャストチャネルにより第１の情報がパッケージングされた第１のブロードキャストシグナリングを受信する。言い換えると、端末は第１のセルのブロードキャストチャネルをモニタリングすることにより第１のブロードキャストシグナリングを受信する。ステップＳ８０９はステップＳ６０９、Ｓ７０９と類似するため、ここでは説明を省略する。
【０１０４】
図４に示す送信の流れと図７に示す受信の流れ、図５に示す送信の流れと図８に示す受信の流れは、それぞれ本発明の例示によるシステム情報の更新を行う方法の流れを構成する。図４及び図７の専用シグナリングを利用する方式に比べて、図５及び図８のブロードキャストシグナリングを利用する方式の方が、システムのシグナリング負荷を有効に低減できる。
【０１０５】
また、第１のセル（専用チャネル或いはブロードキャストチャネル）を利用することにより、端末はそれがサポートする全てのキャリアユニットの対応するセルをモニタリングする必要がないため、端末の消費電力を大幅に低減でき、端末バッテリの使用時間を延長できる。
【０１０６】
一つの実施例として、上記の第１の情報はシステム情報に変化が発生したことを指示する情報のみを含むことができ、この場合、ネットワーク側で、基地局は後の送信の流れにより更新されたシステム情報を送信し、端末側で、後の受信の流れにより当該更新されたシステム情報を受信することができ、このような流れは以下で記述する。
【０１０７】
他の実施例として、上記第１の情報は更新されたシステム情報を含むこともでき、即ち、ネットワーク側で、基地局は第１のセルにより更新されたシステム情報を直接に端末に送信し、端末側で、端末は第１の情報を解析することにより更新されたシステム情報を取得することができ、このような流れも以下で記述する。
【０１０８】
一例として、上記第１の情報はシステム情報の変化がキャリアアグリゲーション伝送に影響を与えるか否かを指示するための情報（第３の情報とも称する）を含むこともできる。例えば、第３の情報は通信システムのどの部分のシステム情報に変化が発生したかを指示し、端末はこれにより当該変化がキャリアアグリゲーション伝送に影響を与えるか否かを判断することができる。
【０１０９】
図９に、本発明の一実施例による、キャリアアグリゲーションをサポートする通信システムにおいてシステム情報の更新を通知する方法の流れを例示的に示す。当該方法で、通信システムのネットワーク側（例えば基地局）は第１のセルにより端末にシステム情報に変化が発生したことを通知する。ここでの第１のセルは上記実施例／例示の第１のセルと同じである。
【０１１０】
図９に示すように、当該方法はステップＳ９０２、Ｓ９０４、Ｓ９０６を含む。
【０１１１】
ステップＳ９０６で、通信システムのシステム情報に変化が発生した場合、システム情報に変化が発生したことを指示するための通知情報を生成する。ここでの通知情報はシステム情報に変化が発生したことを指示するための情報のみを含む。上記のように、当該通知情報は上記第１の情報の一例とみなすことができる。
【０１１２】
上記実施例と類似するように、ここでの通信システムはキャリアアグリゲーションをサポートする通信システムであり、例えば図１に示す通信システムである。当該通信システムのマスターノード（例えば基地局）により当該通信システムのシステム情報に変化が発生したか否かを判断することができ、例えばマスターノード（基地局）の対応する配置ファイルから関連情報を取得することにより、システム情報に変化が発生したか否かを特定することができる。
【０１１３】
ステップＳ９０４で、システム情報の変化に係わる端末に通知情報を送信する際に使用するセルを特定する。
【０１１４】
具体的に、基地局は対応する配置ファイルに基づいて、当該変化をどの／どれらの端末（即ち、当該変化に係わる端末）に通知するかを判断し、各端末の特別セルを当該端末に第１の情報を送信するためのセルとして特定する。上記例示した方法で端末の特別セルを特定することができ、ここでは説明を省略する。
【０１１５】
上記実施例と類似するように、当該ステップＳ９０４で特定したセルは端末が接続したセルのうちの一つであり、端末が使用している、通信システムのマスターノードと接続を保持するキャリアユニットに対応し、第１のセル或いは特別セルとも称する。
【０１１６】
そして、ステップＳ９０６で、第１のセルにより端末に通知情報を送信する。
【０１１７】
第１のセルが基地局と接続を常に保持するため、上記の方法を利用することにより、端末が通知を受信できないことを避け、システム情報に発生した変化を端末に直ちに通知することができる。また、基地局は端末の各セルにより端末に通知情報を送信する必要がないため、システムのシグナリング負担を低減することができる。
【０１１８】
図１０に、本発明の実施例による、キャリアアグリゲーションをサポートする通信システムにおいてシステム情報の変化の通知を受信する方法の流れを例示的に示す。当該方法で、通信システムの端末は第１のセルをモニタリングすることにより基地局から送信した、システム情報に変化が発生したことを指示するための通知情報を受信する。ここでの第１のセルは上記実施例／例示の第１のセルと同じである。
【０１１９】
図１０に示すように、当該方法はステップＳ１００７とＳ１００９を含む。
【０１２０】
ステップＳ１００７で、端末は、基地局が第１のセルを介して送信した、システム情報に変化が発生したことを指示するための情報を含む通知情報を受信する。言い換えると、端末は第１のセルが対応するキャリアユニット（第１のキャリアユニットとも称する）をモニタリングすることにより通知情報を受信する。
【０１２１】
ステップＳ１００９で、端末は受信した通知情報を解析して、システム情報に変化が発生したことを知る。
【０１２２】
上記受信方法により、端末はシステム情報に変化が発生したことを直ちに知ることができ、後のシステム情報の更新に有利である。第１のセル（例えば特別セル）により基地局との接続を常に保持するため、通知を受信できないことを避けた。また、第１のセルを利用することにより、端末はそれがサポートする全てのキャリアユニットの対応するセルをモニタリングする必要がないため、端末の消費電力を大幅に低減でき、端末バッテリの使用時間を延長できる。
【０１２３】
図９に示す通知の送信の流れと図１０に示す通知の受信の流れは、キャリアアグリゲーションをサポートする通信システムにおいてシステム情報の更新を通知する方法の流れを構成する。
【０１２４】
図１１と図１２に、それぞれ第１のセルにより端末に通知情報を送信する流れを例示的に示す。
【０１２５】
図１１に示す例示で、第１のセルにより端末に通知情報を送信するステップはサブステップＳ１１０６−１とＳ１１０６−２を含むことができる。サブステップＳ１１０６−１で、前のステップで生成した通知情報を専用シグナリング（便宜上、以下で第１の専用シグナリングと称する）にパッケージングする。そして、サブステップＳ１１０６−２で、第１のセルにより端末に第１の専用シグナリングを送信する。ここで、サブステップＳ１１０６−１で生成したシグナリングが専用シグナリングであるため、サブステップＳ１１０６−２で、第１のセルの専用チャネルで当該専用シグナリングを送信する。
【０１２６】
通信システムにおいてキャリアアグリゲーションをサポートする端末が多く、且つ配置したキャリアユニット数が多い場合、専用シグナリングの方式で端末に通知情報を送信する（即ち、第１のセルの専用チャネルで通知情報を送信する）と、システム全体にもたらすシグナリング負荷が顕著に増加する。この場合、図１２に示す方法の流れを採用することができる。図１２に示す例示で、第１のセルにより端末に通知情報を送信するステップは、サブステップＳ１２０６−１、Ｓ１２０６−２を含むことができる。サブステップＳ１２０６−１で、前のステップで生成した通知情報をブロードキャストシグナリング（便宜上、以下第１のブロードキャストシグナリングと称する）にパッケージングする。そして、サブステップＳ１２０６−２で、第１のセルのブロードキャストチャネルにより端末に第１のブロードキャストシグナリングを送信する。図１１に示す専用シグナリングの方式と比べて、図１２に示すブロードキャストシグナリングの方式を利用すると、システムのシグナリング負荷を有効に低減することができる。
【０１２７】
図１３に、図１１に示す送信の流れの例に対応する一つの受信の流れの例を示す。図１１に示すように、第１の情報は専用シグナリング（第１の専用シグナリング）にパッケージングされて第１のセルにより端末に送信される。よって、ステップＳ１３０７で、端末はその第１のセルが対応するキャリアユニット（第１のキャリアユニットとも称する）により通知情報がパッケージングされた第１の専用シグナリングを受信する。言い換えると、端末はその第１のセルの専用チャネルをモニタリングすることにより第１の専用シグナリングを受信する。ステップＳ１００９と類似するように、ステップＳ１３０９で端末は第１の専用シグナリングを解析し、システム情報に変化が発生したことを指示するための通知情報を取得して、システム情報に発生した変化を知る。
【０１２８】
図１４に、図１２に示す送信の流れの例に対応する一つの受信の流れの例を示す。図１２に示すように、第１の情報はブロードキャストシグナリング（第１のブロードキャストシグナリング）にパッケージングされて第１のセルのブロードキャストチャネルにより端末に送信される。よって、ステップＳ１４０７で、端末はその第１のセルのブロードキャストチャネルにより通知情報がパッケージングされた第１のブロードキャストシグナリングを受信する。言い換えると、端末は第１のセルのブロードキャストチャネルをモニタリングすることにより第１のブロードキャストシグナリングを受信する。ステップＳ１４０９はステップＳ１００９、Ｓ１３０９と類似するため、ここでは説明を省略する。
【０１２９】
図１１に示す送信の流れと図１３に示す受信の流れ、図１２に示す送信の流れと図１４に示す受信の流れは、それぞれ本発明の例示によるシステム情報の更新を通知する方法の流れを構成する。図１１及び図１３の専用シグナリングを利用する方式に比べて、図１２及び図１４のブロードキャストシグナリングを利用する方式の方が、システムのシグナリング負荷を有効に低減できる。
【０１３０】
また、第１のセル（専用チャネル或いはブロードキャストチャネル）を利用することにより、端末はそれがサポートする全てのキャリアユニットの対応するセルをモニタリングする必要がないため、端末の消費電力を大幅に低減でき、端末バッテリの使用時間を延長できる。
【０１３１】
理解すべきことは、上記及び以下で記述する専用シグナリング及び／又はブロードキャストシグナリングは新しく定義したシグナリングであってもよく、既知シグナリングに対する拡張であってもよい。本発明では、その形式について限定しない。
【０１３２】
図１５に、本発明の一実施例による、キャリアアグリゲーションをサポートする通信システムにおいて更新されたシステム情報を提供する方法の流れを例示的に示す。図１５に示す方法は、図９、図１１或いは図１２に示す方法の流れに基づくものであり、図１５に示す方法が更新されたシステム情報を送信するための過程をさらに含む点が異なる。
【０１３３】
図１５に示すように、当該方法は、ステップＳ１５０２、Ｓ１５０４、Ｓ１５０６、Ｓ１５１２、Ｓ１５１４を含む。
【０１３４】
ステップＳ１５０２、Ｓ１５０４、Ｓ１５０６は、図９、図１１或いは図１２に示す実施例／例示における対応ステップと類似し、ここでは説明を省略する。
【０１３５】
ステップＳ１５１２で、通信システムのネットワーク側（例えば基地局）は、更新されたシステム情報をブロードキャストシグナリング（第２のブロードキャストシグナリングとも称する）にパッケージングする。そして、ステップＳ１５１４で、上記システム情報の変化に係わるキャリアユニットに対応するセル（第２のセルとも称する）のブロードキャストチャネルにより端末に第２のブロードキャストシグナリングを送信する。
【０１３６】
図１６に、本発明の実施例による、キャリアアグリゲーションをサポートする通信システムにおいて更新されたシステム情報を受信する方法の流れを例示的に示す。図１６に示す方法は、図１０、図１３或いは図１４に示す方法の流れに基づくものであり、図１６に示す方法が更新されたシステム情報を受信するための過程をさらに含む点が異なる。
【０１３７】
図１６に示すように、当該方法は、ステップＳ１６０７、Ｓ１６０９、Ｓ１６１１を含む。
【０１３８】
ステップＳ１６０７、Ｓ１６０９は、図１０、図１３或いは図１４に示す実施例／例示における対応ステップと類似し、ここでは説明を省略する。
【０１３９】
図１５に示すように、通信システムのネットワーク側（例えば基地局）は、更新されたシステム情報を第２のブロードキャストシグナリングにパッケージングし、第２のセルのブロードキャストチャネルにより第２のブロードキャストシグナリングを送信する。それに対して、端末は、基地局がどのセルのブロードキャストチャネルで更新されたシステム情報を送信するかを知らないため、端末はシステム情報に変化が発生したことを知った後、ステップＳ１６１１の流れを実行し、即ち、それがサポートする全てのキャリアの対応する全てのセルのブロードキャストチャネルのモニタリングを開始し、上記第２のブロードキャストシグナリングを受信する。第２のブロードキャストシグナリングを受信した後、それに対して解析を行って更新されたシステム情報を取得する。
【０１４０】
図１５の送信の流れと図１６の受信の流れは、キャリアアグリゲーションをサポートする通信システムにおいてシステム情報の更新を行う流れを構成する。
【０１４１】
上記実施例で、通信システムのネットワーク側（基地局）は、係わるキャリアユニットが対応する第２のセルにより更新されたシステム情報を送信し、端末はそれがサポートする全てのキャリアユニットの対応する全てのセルをモニタリングする必要がある。このような方式は、通知情報を送信する過程（例えばステップＳ１５０２−Ｓ１５０６）でそれ以外の情報を送信する必要がない。システム情報の変化の通知の流れを簡略化することができる。
【０１４２】
図１７に、本発明の他の実施例による、更新されたシステム情報を受信する方法の流れを例示的に示す。当該実施例で、通知情報はシステム情報の変化に係わるキャリアユニットをマーキングするための情報（第２の情報とも称する）を含むこともできる。このようにして、図１７に示すように、端末はステップＳ１７０７で第２の情報及びシステム情報に変化が発生したことを指示するための情報を含む通知情報を受信した後、ステップＳ１７０９で通知情報を解析することにより第２の情報を取得する。ステップＳ１７１１で、第２の情報に基づいて係わるキャリアユニットが対応するセルのブロードキャストチャネルをモニタリングすることにより、更新されたシステム情報を取得する。当該実施例で、端末はそれがサポートする全てのキャリアユニットの対応する全てのセルのブロードキャストチャネルをモニタリングする必要がないため、図１６に示す方法に比べて、端末の消費電力を大幅に低減でき、端末バッテリの使用時間を延長できる。
【０１４３】
図１８に、本発明の他の実施例による、更新されたシステム情報を受信する方法の流れを例示的に示す。当該実施例で、通知情報はシステム情報の変化がキャリアアグリゲーション伝送に影響を与えるか否かを指示するための情報（第３の情報とも称する）を含むこともできる。例えば、第３の情報は通信システムのどの部分のシステム情報に変化が発生したかを指示し、端末はこれによりキャリアアグリゲーション伝送に影響を与えるか否かを判断できる。具体的に、端末はステップＳ１８０７で第３の情報及びシステム情報に変化が発生したことを指示するための情報を含む通知情報を受信した後、ステップＳ１８０９で通知情報を解析することにより第３の情報を取得することができる。そして、ステップＳ１８１０で、端末は上記第３の情報に基づいて更新されたシステム情報を受信するか否かを決定する。例えば、端末がキャリアアグリゲーションをサポートし且つ第３の情報がシステム情報の変化がキャリアアグリゲーション伝送に影響を与えないと指示すると、当該端末は更新されたシステム情報の受信を放棄すると選択することができる。一方、端末がキャリアアグリゲーションをサポートせず、第３の情報がシステム情報の変化がキャリアアグリゲーション伝送に影響を与えると指示しても、当該端末は更新されたシステム情報の受信を放棄することができる。端末は更新されたシステム情報を受信すると決定すると、ステップＳ１８１１で対応するチャネルをモニタリングすることにより、更新されたシステム情報を受信する。ステップＳ１８１１は、上記ステップＳ１６１１或いはステップＳ１７１１と同じであっても良く、ここでは説明を省略する。
【０１４４】
図１５／図１６に示す送信／受信の流れで、更新されたシステム情報は第２のブロードキャストシグナリングにパッケージングされ、且つ第２のセルのブロードキャストチャネルにより送信／受信される。他の実施例で、更新されたシステム情報は専用シグナリング（第３の専用シグナリングとも称する）にパッケージングし、第２のセルの専用チャネルにより送信／受信することもできる。当該実施例で、通知情報はシステム情報の変化に係わるキャリアユニットをマーキングするための情報（第２の情報）を含む。このようにして、端末は第２の情報を含む通知情報を受信した後、通知情報を解析することにより第２の情報を取得する。且つ第２の情報に基づいて係わるキャリアユニットが対応するセルの専用チャネルをモニタリングすることにより、更新されたシステム情報を取得する。当該実施例で、端末はそれがサポートする他のキャリアユニットの対応する他のセルをモニタリングする必要がないため、端末の消費電力を大幅に低減でき、端末バッテリの使用時間を延長できる。
【０１４５】
上述のように、上記ブロードキャストシグナリング又は専用シグナリングは新しく定義したシグナリングであってもよく、既知シグナリングに対する拡張であってもよい。
【０１４６】
一例として、第１のブロードキャストシグナリングは、ＬＴＥ  Ｒｅｌｅａｓｅ  ８におけるページング（Ｐａｇｉｎｇ）メッセージ或いはシステム情報ブロック（ＳＩＢ１）メッセージに対する拡張であってもよい。例えば、Ｐａｇｉｎｇメッセージ或いはＳＩＢ１メッセージに第２の情報及び／又は第３の情報に関する内容を添加することができる。具体的に、ＰａｇｉｎｇメッセージとＳＩＢ１メッセージに二つのインジケーター、例えば第１のインジケーター（例えば、ＳｙｓｔｅｍＩｎｆｏＵｐｄａｔｅＣＣＩｎｄｉｃａｔｏｒとして示すことができる）と第２のインジケーター（例えば、ＣｒｉｔｉｃａｌＳｙｓｔｅｍＩｎｆｏＩｎｄｉｃａｔｏｒとして示すことができる）を添加することができる。第１のインジケーターは第２の情報を含み、即ちどの具体的なキャリアユニットのシステム情報に変化が発生したかをマーキングするために用いられ、第２のインジケーターは第３の情報を含み、即ち当該システム情報の変化がキャリアアグリゲーション伝送に影響（例えば、どの部分のシステム情報に変化が発生したかを指示し、端末はこの情報によりキャリアアグリゲーション伝送に影響を与えるか否かを判断できる）を与えるか否かをマーキングする。図１９に、キャリアアグリゲーションの場合、拡張したＰａｇｉｎｇメッセージ或いはＳＩＢ１メッセージを採用して第１のブロードキャストシグナリングとしてシステム情報の変化を通知する模式図を示す。図１９に示すように、端末１０２の第１のセル（ＣＣ１に対応するセル）のブロードキャストチャネルにより拡張したＰａｇｉｎｇメッセージ或いはＳＩＢ１メッセージを送信し、その後に、ＣＣ２が対応するセルにより更新されたシステム情報を送信する。もちろん、上述したものは第１のブロードキャストシグナリングの例であって、本発明はこれに限られない。上記のように、第１のブロードキャストシグナリングは新しく定義したシグナリングであってもよい。
【０１４７】
第１のブロードキャストシグナリングに類似するように、第１の専用シグナリングは新しく定義したシグナリングであってもよく、既知シグナリングに対する拡張であってもよい。第１のブロードキャストシグナリングに類似するように、第１の専用シグナリングは第２の情報及び／又は第３の情報に関する内容を含むことができる。例えば、第１の専用シグナリングは二つのインジケーター、例えば第１のインジケーター（例えば、ＳｙｓｔｅｍＩｎｆｏＵｐｄａｔｅＣＣＩｎｄｉｃａｔｏｒとして示すことができる）と第２のインジケーター（例えば、ＣｒｉｔｉｃａｌＳｙｓｔｅｍＩｎｆｏＩｎｄｉｃａｔｏｒとして示すことができる）を含むことができる。第１のインジケーターは第２の情報を含み、即ちどの具体的なキャリアユニットのシステム情報に変化が発生したかをマーキングするために用いられ、第２のインジケーターは第３の情報を含み、即ち当該システム情報の変化がキャリアアグリゲーション伝送に影響（例えば、どの部分のシステム情報に変化が発生したかを指示し、端末はこの情報によりキャリアアグリゲーション伝送に影響を与えるか否かを判断できる）を与えるか否かをマーキングする。図２０に、キャリアアグリゲーションの場合、第１の専用シグナリングを採用してシステム情報の変化を通知する模式図を示す。図２０に示すように、端末１０２の第１のセル（ＣＣ１に対応するセル）の専用チャネルにより第１の専用シグナリング（図面でＳｙｓｔｅｍＩｎｆｏＵｐｄａｔｅメッセージとして示す）を送信し、その後に、ＣＣ２が対応するセルにより更新されたシステム情報を送信する。
【０１４８】
図２１に、本発明の一実施例による、キャリアアグリゲーションをサポートする通信システムにおいて更新されたシステム情報を提供する方法の流れを例示的に示す。図２１に示す実施例で、通信システムのネットワーク側（基地局）は端末の第１のセル（特別セル）により端末に更新されたシステム情報を送信する。
【０１４９】
図２１に示すように、当該方法はステップＳ２１０２、Ｓ２１０４、Ｓ２１０６を含む。
【０１５０】
ステップＳ２１０２で、上記通信システムのシステム情報に変化が発生した場合、第１の情報を生成する。システム情報に変化が発生したことを指示するための情報以外に、当該第１の情報は更新されたシステム情報をさらに含む点が、図２に示す実施例と異なる。
【０１５１】
前記実施例と類似するように、当該通信システムのマスターノード（例えば基地局）により当該通信システムのシステム情報に変化が発生したか否かを判断することができ、例えばマスターノード（例えば基地局）の対応する配置ファイルから関連情報を取得することにより、システム情報に変化が発生したか否かを特定することができる。更新されたシステム情報は基地局の対応する配置ファイルから取得することもできる。
【０１５２】
ステップＳ２１０４で、システム情報の変化に係わる端末に第１の情報を送信する際に使用するセル、即ち第１のセルを特定する。ここでの第１のセルは前記の実施例と同じであるため、説明を省略する。
【０１５３】
システム情報に変化が発生した場合、基地局は対応する配置ファイルに基づいて、当該変化をどの／どれらの端末（即ち、当該変化に係わる端末）に通知するかを判断し、各端末の特別セルを当該端末に第１の情報を送信するためのセルとして特定する。上記例示の方法で端末の特別セルを特定することができ、ここでは説明を省略する。
【０１５４】
そして、ステップＳ２１０６で、第１のセルにより端末に第１の情報を送信する。
【０１５５】
第１のセルは常にシステムのマスターノード（例えば基地局）と接続を保持するため、上記方法を利用して更新されたシステム情報を端末に直接に送信することにより、端末が受信できないことを避けることができる。
【０１５６】
図２２及び図２３に、それぞれ第１のセルにより端末に更新されたシステム情報を含む第１の情報を送信する流れを例示的に示す。
【０１５７】
図２２に示す例示で、第１のセルにより端末に第１の情報を送信するステップはサブステップＳ２２０６−１とＳ２２０６−２を含むことができる。サブステップＳ２２０６−１で、ステップＳ２１０２で生成した、更新されたシステム情報を含む第１の情報を専用シグナリング（第１の専用シグナリングとも称する）にパッケージングする。そして、サブステップＳ２２０６−２で、第１のセルにより端末に第１の専用シグナリングを送信し、即ち、第１のセルの専用チャネルにより当該専用シグナリングを送信する。
【０１５８】
図２３に示す例示で、第１のセルにより端末に第１の情報を送信するステップはサブステップＳ２３０６−１とＳ２３０６−２を含むことができる。サブステップＳ２３０６−１で、ステップＳ２１０２で生成した、更新されたシステム情報を含む第１の情報をブロードキャストシグナリング（第１のブロードキャストシグナリングとも称する）にパッケージングする。そして、サブステップＳ２３０６−２で、第１のセルのブロードキャストチャネルにより端末に第１のブロードキャストシグナリングを送信する。図２２に示す専用シグナリングの方式と比べて、図２３に示すブロードキャストシグナリングの方式を利用すると、システムのシグナリング負荷を有効に低減することができる。
【０１５９】
図２４〜図２６に、端末で更新されたシステム情報を受信する流れを例示的に示す。
【０１６０】
図２４に、図２１に示す実施例による、キャリアアグリゲーションをサポートする通信システムにおいて端末で更新されたシステム情報を受信する方法を例示的に示す。
【０１６１】
図２４に示すように、当該方法はステップＳ２４０７とＳ２４０９を含む。
【０１６２】
ステップＳ２４０７で、端末は基地局が第１のセルを介して送信した、システム情報に変化が発生したことを指示するための情報と更新されたシステム情報を含む第１の情報を受信する。言い換えると、端末は第１のセルが対応するキャリアユニット（第１のキャリアユニットとも称する）をモニタリングすることにより、第１の情報を受信する。
【０１６３】
ステップＳ２４０９で、端末は受信した第１の情報を解析して、システム情報に変化があったことを知り、更新されたシステム情報を取得する。
【０１６４】
上記受信方法により、端末は更新されたシステム情報を直ちに取得することができる。第１のセル（例えば特別セル）により常に基地局と接続を保持するため、受信できないことを避けることができる。また、第１のセルを利用することにより、端末はそれがサポートする他のキャリアユニットの対応するセルをモニタリングする必要がないため、端末の消費電力を大幅に低減でき、端末バッテリの使用時間を延長できる。
【０１６５】
図２１に示す送信の流れと図２４に示す受信の流れは、キャリアアグリゲーションをサポートする通信システムにおいてシステム情報の更新を行う方法を構成する。
【０１６６】
図２５に、図２２に示す送信の流れの例に対応する一つの受信の流れの例を示す。図２２に示すように、第１の情報は専用シグナリング（第１の専用シグナリング）にパッケージングされて第１のセルにより端末に送信される。よって、ステップＳ２５０７で、端末はその第１のセルにより第１の情報がパッケージングされた第１の専用シグナリングを受信する。言い換えると、端末はその第１のセルの専用チャネルをモニタリングすることにより第１の専用シグナリングを受信する。ステップＳ２４０９と類似するように、ステップＳ２５０９で端末は第１の専用シグナリングを解析し、更新されたシステム情報を取得する。
【０１６７】
図２６に、図２３に示す送信の流れの例に対応する一つの受信の流れの例を示す。図２３に示すように、第１の情報はブロードキャストシグナリング（第１のブロードキャストシグナリング）にパッケージングされて第１のセルのブロードキャストチャネルにより端末に送信される。よって、ステップＳ２６０７で、端末は第１のセルのブロードキャストチャネルにより第１の情報がパッケージングされた第１のブロードキャストシグナリングを受信する。言い換えると、端末は第１のセルのブロードキャストチャネルをモニタリングすることにより第１のブロードキャストシグナリングを受信する。ステップＳ２６０９はステップＳ２４０９、Ｓ２５０９と類似するため、ここでは説明を省略する。
【０１６８】
図２２に示す送信の流れと図２５に示す受信の流れ、図２３に示す送信の流れと図２６に示す受信の流れは、それぞれ本発明の例示によるシステム情報の更新を行う方法の流れを構成する。図２２及び図２５の専用シグナリングを利用する方式に比べて、図２３及び図２６のブロードキャストシグナリングを利用する方式のほうが、システムのシグナリング負荷を有効に低減できる。
【０１６９】
また、第１のセル（専用チャネル或いはブロードキャストチャネル）を利用することにより、端末はそれがサポートする他のキャリアユニットの対応するセルをモニタリングする必要がないため、端末の消費電力を大幅に低減でき、端末バッテリの使用時間を延長できる。
【０１７０】
なお、上記実施例／例示及び以下で記述するシステム情報の変化は、システムの配置とアーキテクチャの変化の発生に起因する、いかなるシステム情報の変化を含むことができる。例えば、上記変化には、あるアクティブ状態にあるキャリアユニットにキャリアセグメント（Ｃａｒｒｉｅｒ  Ｓｅｇｍｅｎｔ）を増やす、拡張キャリア（Ｅｘｔｅｎｓｉｏｎ  Ｃａｒｒｉｅｒ）を増やす、新しいキャリアユニットを使用（追加）する等が含まれるが、これらに限られない。よって、更新されたシステム情報は、これらの変化に関係するいかなるシステム情報を含むことができる。例えば、あるアクティブ状態にあるキャリアユニットにキャリアセグメントを増やす場合、更新されたシステム情報は当該キャリアセグメントに関する配置情報を含むことができ、ある端末に拡張キャリアを増やす場合、更新されたシステム情報は当該拡張キャリアに関する配置情報を含むことができ、新しいキャリアユニットを使用（追加）する場合、更新されたシステム情報は当該キャリアユニットに関する配置情報を含むことができる。ここでは、一々の列挙を省略する。
【０１７１】
図２７に、本発明の一実施例による、キャリアユニットを追加しようとする場合、システム情報を提供する方法の流れを例示的に示す。
【０１７２】
図２７に示すように、当該方法はステップＳ２７０２、Ｓ２７０４、Ｓ２７０６、Ｓ２７０８を含む。
【０１７３】
ステップＳ２７０２で、キャリアユニットを追加しようとする場合、第１の情報を生成する。当該第１の情報は、キャリアユニットを追加しようとすることを指示するための情報及び追加しようとするキャリアユニットに関するシステム情報を含むことができる。
【０１７４】
ステップＳ２７０４で、追加しようとするキャリアユニットに係わる端末に第１の情報を送信する際に使用するセル、即ち第１のセルを特定する。ここの第１のセルは前記実施例の第１のセルと同じであるため、説明を省略する。
【０１７５】
具体的に、基地局は対応する配置ファイルに基づいて、端末の特別セルを当該端末に第１の情報を送信するためのセルとして特定する。前記例示の方法を採用して端末の特別セルを特定することができ、ここでは説明を省略する。
【０１７６】
ステップＳ２７０６で、上記第１の情報を専用シグナリング（第２の専用シグナリングとも称する）にパッケージングする。そして、ステップＳ２７０８で、第１のセルにより端末に第２の専用シグナリングを送信し、即ち第１のセルの専用チャネルにより第２の専用シグナリングを送信する。
【０１７７】
第１のセルは常にシステムのマスターノード（例えば基地局）と接続を保持するため、上記方法を利用することにより、追加しようとするキャリアユニットに関するシステム情報を直ちに端末に送信し、端末が受信できないことを避けることができる。
【０１７８】
図２８に、図２７に示す送信の流れに対応する、端末でシステム情報を受信する流れを例示的に示す。
【０１７９】
図２８に示すように、当該方法はステップＳ２８０７、Ｓ２８０９、Ｓ２８１１を含む。
【０１８０】
ステップＳ２８０７で、端末は第１のセルの専用チャネルにより第２の専用シグナリングを受信する。
【０１８１】
ステップＳ２８０９で、端末は受信した第２の専用シグナリングを解析することにより、キャリアユニットを追加しようとすることを知り、追加しようとするキャリアユニットに関するシステム情報を取得する。
【０１８２】
ステップＳ２８１１で、端末は受信したシステム情報に基づいて追加しようとするキャリアユニットを配置し、当該キャリアユニットをアクティブ化する。
【０１８３】
上記受信方法により、端末は更新されたシステム情報を直ちに取得することができる。第１のセル（例えば特別セル）により常に基地局と接続を保持するため、受信できないことを避けることができる。なお、専用シグナリングを利用するため、キャリアアグリゲーションをサポートしない端末はこれらの情報を受信できない。
【０１８４】
図２７に示す送信の流れと図２８に示す受信の流れは、キャリアアグリゲーションをサポートする通信システムにおいてシステム情報を伝送する方法を構成する。
【０１８５】
一例として、上記追加しようとするキャリアユニットは拡張キャリアであってもよい。この場合、ステップＳ２７０６は、上記拡張キャリアに関する配置情報を第２の専用シグナリングにパッケージングすることを含むことができる。それに対して、端末は上記拡張キャリアに関する配置情報がパッケージングされた第２の専用シグナリングを受信した後、第２の専用シグナリングを解析することにより、当該配置情報を取得することができ、当該配置情報に基づいて拡張キャリアを配置する。
【０１８６】
他の例として、上記追加しようとするキャリアユニットは当該追加しようとするキャリアユニットに付加するキャリアセグメントを含むこともできる。この場合、通信システムのネットワーク側（基地局）は第１のセルを介して端末に上記キャリアセグメントに関する配置情報を送信することもできる。一例として、キャリアセグメントに関する配置情報は、追加しようとするキャリアユニットに関するシステム情報と共に第２の専用シグナリングにパッケージングすることができる。それに対して、端末は第１のセルの専用チャネルにより上記キャリアに関する配置情報を受信し、当該配置情報に基づいてキャリアセグメントを配置することができる。キャリアセグメントに関する配置情報と追加しようとするキャリアユニットに関するシステム情報を一緒に第２の専用シグナリングにパッケージングすると、端末は第２の専用シグナリングを解析することにより、キャリアセグメントに関する配置情報を取得し、当該配置情報に基づいて当該キャリアセグメントを配置することもできる。
【０１８７】
一例として、追加しようとするキャリアユニットに関するシステム情報は、上記追加しようとするキャリアユニットに関する伝送帯域幅配置情報及び周波数帯域指示情報を含むことができる。上記追加しようとするキャリアユニットがアップリンク伝送に用いられるか、或いは上記追加しようとするキャリアユニットがダウンリンク伝送に用いられるがアップリンク情報を配置する必要がある場合、上記追加しようとするキャリアユニットに関するシステム情報は、上記追加しようとするキャリアユニットのアップリンクキャリア周波数、アップリンク伝送帯域幅及び各アップリンクチャネルの配置情報を含むこともできる。上記追加しようとするキャリアユニットがダウンリンク伝送に用いられる場合、上記追加しようとするキャリアユニットに関するシステム情報は、上記追加しようとするキャリアユニットの各ダウンリンクチャネルの配置情報を更に含むことができる。
【０１８８】
一例として、上記システム情報は、ＬＴＥ中のシステム情報の形式を採用することができる。システム情報は、メイン情報ブロックＭＩＢ及び一つ或いは複数のシステム情報ブロックＳＩＢに分ける。ＭＩＢは、若干の最も重要な情報及びセルから他の重要な情報を取得するための関連パラメータを含み、例えば、ダウンリンク帯域幅配置、ＰＨＩＣＨ（Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｎｅｌ）配置等を含む。ＳＩＢに含まれる情報は、端末があるセルへのアクセスを許可されたか否かに関する情報、端末無線リソース配置情報、セル再選択情報などを含む。
【０１８９】
以上のように、第２の専用シグナリングは、新しく定義したシグナリングであってもよく、既知シグナリングに対する拡張であってもよい。一例として、第２の専用シグナリングは、無線リソース制御接続再配置メッセージ（例えばＲＲＣＣｏｎｎｅｃｔｉｏｎＲｅｃｏｎｆｉｇｕｒａｔｉｏｎメッセージ）の拡張であってもよく、この場合、ステップＳ２７０６は、第１の情報を上記無線リソース制御接続再配置メッセージにパッケージングすることを含む。既知のシグナリングを利用することにより、再び新しいメッセージ構成を定義することを避けることができる。
【０１９０】
一例として、上記無線リソース制御接続再配置メッセージ（ＲＲＣＣｏｎｎｅｃｔｉｏｎＲｅｃｏｎｆｉｇｕｒａｔｉｏｎメッセージ）の拡張は、ＭＩＢ、ＳＩＢ１、ＳＩＢ２等のシステム情報を含むことができる。具体的に、ＭＩＢは、以下のものを含むことができる。
ｄｌ−Ｂａｎｄｗｉｄｔｈ：伝送帯域幅配置情報、ダウンリンクのＲＢ数。
ｐｈｉｃｈ−Ｃｏｎｆｉｇ：  ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ：物理混合自動要求再送信指示チャンネル）チャネル配置情報。
【０１９１】
ＳＩＢ１は、ｆｒｅｑＢａｎｄＩｎｄｉｃａｔｏｒ（周波数帯域指示標識）を含むことができる。
【０１９２】
追加しようとするキャリアユニットがアップリンク伝送に用いられるか、或いはあるダウンリンクキャリアユニットのアップリンク情報を配置する必要がある場合、ＳＩＢ２は以下のものを含むことができる。
ｕｌ−ＣａｒｒｉｅｒＦｒｅｑ：アップリンクキャリア周波数。
ｕｌ−Ｂａｎｄｗｉｄｔｈ：アップリンク伝送帯域幅、即ちアップリンクのＲＢ数。
ｒａｃｈ−Ｃｏｎｆｉｇ：  ＲＡＣＨ（Ｒａｎｄｏｍ  Ａｃｃｅｓｓ  Ｃｈａｎｎｅｌ、ランダムアクセスチャネル）チャネル配置情報。
ｐｒａｃｈ−Ｃｏｎｆｉｇ：ＰＲＡＣＨ（Ｐｈｙｓｉｃａｌ  Ｒａｎｄｏｍ  Ａｃｃｅｓｓ  Ｃｈａｎｎｅｌ、物理ランダムアクセスチャネル）チャネル配置情報。
ｐｕｓｃｈ−Ｃｏｎｆｉｇ：ＰＵＳＣＨ（Ｐｈｙｓｉｃａｌ  ｕｐｌｉｎｋ  ｓｈａｒｅｄ  ｃｈａｎｎｅｌ、アップリンク物理共有チャネル）チャネル配置情報。
ｐｕｃｃｈ−Ｃｏｎｆｉｇ：ＰＵＣＣＨ（Ｐｈｙｓｉｃａｌ  ｕｐｌｉｎｋ  ｃｏｎｔｒｏｌ  ｃｈａｎｎｅｌ、アップリンク制御チャネル）チャネル配置情報。
ｓｏｕｎｄｉｎｇＲＳ−ＵＬ−Ｃｏｎｆｉｇ：ＳｏｕｎｄｉｎｇＲＳアップリンク配置情報。
ｕｐｌｉｎｋＰｏｗｅｒＣｏｎｔｒｏｌ：アップリンクパワー制御。
ｕｌ−ＣｙｃｌｉｃＰｒｅｆｉｘＬｅｎｇｔｈ：アップリンク循環プレフィックス長さ。
【０１９３】
追加しようとするキャリアユニットがダウンリンク伝送に用いられる場合、ＳＩＢ２は以下のものを含むことができる。
ｍｂｓｆｎ−ＳｕｂｆｒａｍｅＣｏｎｆｉｇＬｉｓｔ：ダウンリンクがＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、マルチメディアブロードキャストマルチキャスト単一周波数ネットワーク）のために保留したサブフレームリスト。
ｂｃｃｈ−Ｃｏｎｆｉｇ：ＢＣＣＨチャネル配置情報。
ｐｃｃｈ−Ｃｏｎｆｉｇ：ＰＣＣＨ（Ｐａｇｉｎｇ  Ｃｏｎｔｒｏｌ  Ｃｈａｎｎｅｌ、ページング制御チャネル）チャネル配置情報。
ｐｄｓｃｈ−Ｃｏｎｆｉｇ：ＰＤＳＣＨ（Ｐｈｙｓｉｃａｌ  ｄｏｗｎｌｉｎｋ  ｓｈａｒｅｄ  ｃｈａｎｎｅｌ、ダウンリンク物理共有チャネル）チャネル配置情報。
【０１９４】
もちろん、上記システム情報の例は例示であって、本発明はこれらの例に限られない。なお、専用シグナリングの方式を採用する場合、上記システム情報は増量シグナリングで伝送することができ、例えば、第１のセルの関連情報はデフォルト情報とすることができ、この場合、オンフラグ「ＯＮ」を使用して関連情報の更新をマーキングすることができる。例えば、オンフラグ「ＯＮ」が１である場合、関連情報に更新があることを示す。オンフラグ「ＯＮ」が０である場合、関連情報に更新がないことを示す。端末は、増量シグナリングの方式で伝送したシステム情報を受信した場合、オンフラグに基づいてどの部分のシステム情報に更新があるかを特定することができる。
【０１９５】
上記及び以下の第２の専用シグナリング、第３の専用シグナリング等は、いずれも増量シグナリング方式で伝送を行うことができる。専用シグナリングの方式でシステム情報或いは更新されたシステム情報を送信する場合でも、増量シグナリング方式を採用することができる。例えば、専用シグナリング方式で伝送する場合、更新されたシステム情報は、変化が発生した部分に係わるシステム情報のみを含むことができ、変化が発生していない部分を含む必要がない。また、例えば、第２の専用シグナリングは、上記追加しようとするキャリアユニット或いはキャリアセグメントに関する、キャリアアグリゲーション伝送に影響を与えるシステム情報のみを含むことができる。
【０１９６】
図３７に、キャリアアグリゲーションの場合、キャリアユニットを追加する時、端末が更新されたシステム情報（即ち、追加しようとするキャリアユニットに関係するシステム情報）を取得する模式図を示す。図３７に示すように、端末ＵＥのキャリアユニットＣＣ１が対応するセルを当該端末の第１のセル（特別セル）とし、当該端末にキャリアユニットＣＣ２を追加しようとすることとする。まず、端末とＣＣ１（特別セル）はＲＲＣ（Ｒａｄｉｏ  Ｒｅｓｏｕｒｃｅ  Ｃｏｎｔｒｏｌ、無線リソース制御）接続を構築し（いかなる適切な方法でＲＲＣ接続を構築することができ、ここでは説明を省略する）、ＲＲＣＣｏｎｎｅｃｔｉｏｎＲｅｃｏｎｆｉｇｕｒａｔｉｏｎメッセージの拡張を利用して、ＣＣ２のシステム情報を携えることができ、端末はＣＣ１の対応するセルにより当該メッセージを取得することで、その中のシステム情報を利用して当該キャリアユニットＣＣ２をアクティブ化することができる。このような方法はキャリアアグリゲーション伝送の実現を加速する。
【０１９７】
＜拡張キャリア＞
拡張キャリアは独立に使用できないキャリアタイプであり、一つのキャリアユニット集合に従属し、このキャリアユニット集合に少なくとも一つの独立に使用できるキャリアが含まれる。拡張キャリアは必ず独立に使用できるキャリアユニットと共存する。一般的に、拡張キャリアでシステム情報の伝送を行わない。現在使用するキャリアユニットに拡張キャリアを追加しようとする場合、図２７、図２８に示す実施例／例示の送信と受信方法で関連システム情報の伝送を行うことができる。
【０１９８】
なお、拡張キャリアのチャネル配置は他のタイプのキャリアと異なる可能性があり、例えば、ＲＡＣＨ、ＰＤＣＣＨ、ＰＵＣＣＨ等のチャネルを含まない可能性がある。よって、ＳＩＢ２中のシステム情報を送信する時、これらの情報を省略することができ、伝送の情報量を更に減少することができる。
【０１９９】
図２７、図２８に示す実施例／例示を採用し、第１のセルの専用シグナリングを利用して拡張キャリアに関するシステム情報を送信／受信することにより、ブロードキャストチャネルをモニタリングするコストを避けることができる。
【０２００】
上記のように、システム情報の変化の発生は、拡張キャリアを追加する必要がある状況を含む。言い換えると、図２−２６に示す方法の流れ及び以下の図３１−３６に示すデバイス、システム等は、拡張キャリアに関するシステム情報の送信と受信に利用することができる。ここでは、説明を省略する。
【０２０１】
＜キャリアセグメント＞
キャリアセグメントは、後方互換性のキャリアユニットにおけるデータ伝送拡張と理解することができ、即ち、いくつかの連続するリソースブロックを後方互換性のキャリアユニットに付加することにより、整合したキャリアユニットが後方互換性のないキャリアユニットとしてＬＴＥ−Ａ端末により使用可能である。
【０２０２】
図２７−２８に示す実施例におけるシステム情報を提供／受信する方法は、追加しようとするキャリアユニットがキャリアセグメントを含む場合に用いることができる。
【０２０３】
図２−図２６に示す実施例／例示におけるシステム情報を提供／受信する方法及びシステム情報の更新を行う方法等は、いずれもある使用中（アクティブ状態にある）のキャリアユニットにキャリアセグメントを増やす場合に適用することができる。一例として、この場合、第１の情報／通知情報は、キャリアセグメントを増やすことを指示するための情報を含むことができる。他の例として、インジケーター（第３のインジケーターと称し、例えばＣａｒｒｉｅｒＳｅｇｍｅｎｔＩｎｄｉｃａｔｏｒとして示すことができる）を使用して、現在使用するキャリアユニットにキャリアセグメントを増やすことを示す。キャリアアグリゲーションをサポートしない端末は基地局が送信した情報を受信すると、その中に含まれている第３のインジケーターに基づいてこれらのシステム情報を受信する必要があるかを判断することができる。第３のインジケーターがキャリアセグメントを追加することを示すと、当該端末はシステム情報を受信しなくてもよい。即ち、キャリアセグメントを増やす状況は、キャリアアグリゲーションをサポートしない端末に影響を与えない。
【０２０４】
一例として、図１１／図１３、図１５に示す方法で、現在使用するキャリアユニットにキャリアセグメントを追加する（即ち、第１のセルを介して専用シグナリングを利用して第１の情報／通知情報を送信し、対応セル（キャリアセグメントを追加しようとするキャリアユニットが対応するセル）のブロードキャストチャネルでキャリアセグメントに関する配置情報を送信する）と、基地局は第３のインジケーターを含む第１の情報／通知情報を第１の専用シグナリングにパッケージングし、第３のインジケーターを有効にすることができる。対応セルのブロードキャストチャネルで、第２のブロードキャストシグナリングによりブロードキャストするのはキャリアセグメントに関するシステム情報であるが、第２のブロードキャストシグナリングに更新通知を添加しない。このようにして、ＬＴＥ  Ｒｅｌｅａｓｅ８と互換性がある。ＬＴＥ−Ａをサポートしない端末にとって、当該システム情報の変化は透明である。端末がＬＴＥ−Ａをサポートしないと、端末は第１の専用シグナリングを受信しなく、対応セルのブロードキャストチャネル上の更新されたシステム情報をモニタリングしない。ＬＴＥ−Ａをサポートする端末は第１の情報／更新情報を受信し第３のインジケーターが有効であると検査した後、対応セルのブロードキャストチャネルをモニタリングして更新されたシステム情報を受信する。
【０２０５】
他の例として、図１２／図１４、図１５に示す方法で、現在使用するキャリアユニットにキャリアセグメントを追加する（即ち、第１のセルのブロードキャストチャネルを介して第１の情報／通知情報を送信し、対応セルのブロードキャストチャネルで更新されたシステム情報を送信する）と、基地局は第３のインジケーターを含む第１の情報／通知情報を第１の専用シグナリングにパッケージングし、第３のインジケーターを有効にすることができる。対応セルのブロードキャストチャネルで、第２のブロードキャストシグナリングによりブロードキャストするのは更新されたシステム情報（キャリアセグメントに関するシステム情報）である。端末がＬＴＥ−Ａをサポートしないと、端末は第１の情報／通知情報を受信し、第３のインジケーターが有効であると検査した後、対応セルのブロードキャストチャネルの更新されたシステム情報をモニタリングしないと選択する（或いは後続のブロードキャストの更新されたシステム情報を無視する）。ＬＴＥ−Ａをサポートする端末は第１の情報／更新情報を受信し第３のインジケーターが有効であると検査した後、対応セルのブロードキャストチャネルをモニタリングして更新されたシステム情報を受信する。
【０２０６】
図２９に、本発明の他の実施例による、現在使用するキャリアユニットにキャリアセグメントを追加する場合にキャリアセグメントに関するシステム情報を提供する方法を示す。図２９に示す方法において、上記現在使用するキャリアユニットが対応するセルを介して端末に直接に関連するシステム情報を送信することができる。
【０２０７】
図２９に示すように、ステップＳ２９０２で、現在使用するキャリアユニットにキャリアセグメントを追加しようとする場合、当該キャリアセグメントに関するシステム情報を生成し、さらにキャリアセグメントを追加することを指示する情報を生成することができる。具体的に、通信システムの基地局により関連する配置ファイルから上記システム情報を取得することができる。ステップＳ２９０４で、上記現在使用するキャリアユニットの対応するセルを介して上記生成した情報を送信する。一例として、システム情報を専用シグナリング（第４の専用シグナリングと称する）にパッケージングし、そのセルの専用チャネルにより第４の専用シグナリングを送信することができる。他の例として、システム情報をブロードキャストシグナリング（第３のブロードキャストシグナリングと称する）にパッケージングし、当該セルのブロードキャストチャネルにより第３のブロードキャストシグナリングを送信することができる。
【０２０８】
図３０に、図２９に示す流れに対応する、現在使用するキャリアユニットにキャリアセグメントを追加する場合にキャリアセグメントに関するシステム情報を受信する方法を示す。図３０に示すように、ステップＳ３００３で、端末は上記現在使用するキャリアユニットが対応するセルを介してキャリアセグメントに関するシステム情報及びキャリアセグメントを追加することを指示する情報を受信する。ステップＳ３００５で、端末は受信したシステム情報に基づいてキャリアセグメントを配置し、当該キャリアセグメントをアクティブ化する。システム情報が第４の専用シグナリングにパッケージングされた場合、端末は当該セルの専用チャネルを介して第４の専用シグナリングを受信し、第４の専用シグナリングを解析することにより、上記システム情報を取得し、上記システム情報に基づいてキャリアセグメントを配置する。システム情報が第３のブロードキャストシグナリングにパッケージングされた場合、端末はそのセルのブロードキャストチャネルをモニタリングすることにより第３のブロードキャストシグナリングを受信し、第３のブロードキャストシグナリングを解析することにより上記システム情報を取得し、上記システム情報に基づいてキャリアセグメントを配置する。
【０２０９】
現在使用する端末に拡張キャリアを追加する場合も、図２９の送信方法と図３０の受信方法を利用することができる。ここでは説明を省略する。
【０２１０】
図３１に、本発明の一実施例による、キャリアアグリゲーションをサポートする通信システムにおいてシステム情報を提供するデバイスを示す。図３１に示すように、当該デバイスは、情報生成装置３１０２、セル特定装置３１０４、送信装置３１０６を含む。
【０２１１】
情報生成装置３１０２は、上記通信システムのシステム情報に変化が発生した場合、第１の情報を生成することができ、当該第１の情報はシステム情報に変化が発生したことを指示するための情報を含む。通信システムの基地局における対応する配置ファイルにより関連情報を取得し、システム情報に変化が発生したかを特定できる。
【０２１２】
セル特定装置３１０４は、システム情報の変化に係わる端末の第１のセルを特定することができ、上記第１のセルは当該端末が接続するセルのうちの一つであり、上記端末が使用している、上記通信システムの基地局と接続を保持するキャリアユニットに対応する。上記第１のセル（特別セル）は前記方法実施例／例示のものと同じであるため、ここでは説明を省略する。セル特定装置３１０４は、前記方法実施例／例示の方法で端末の特別セルを特定することができ、ここでは説明を省略する。
【０２１３】
送信装置３１０６は、上記第１のセルを介して端末に上記第１の情報を送信することができる。
【０２１４】
上記デバイスは通信システムのネットワーク側に設置することができ、例えば、通信システムの基地局に設置することができる。キャリアアグリゲーションをサポートする通信システムにおいて、第１のセルがシステムのマスターノード（例えば基地局）と常に接続を保持するため、上記方法を利用することにより、端末が受信できないことを避けることができ、システム情報の提供或いは更新を実現することができる。なお、基地局は、端末の各セルを介して端末にシステム情報を送信し、或いはシステム情報の更新を通知する必要がないため、システムのシグナリング負荷を低減することができる。
【０２１５】
一例として、情報生成装置３１０２は、上記第１の情報を専用シグナリング（第１の専用シグナリング）にパッケージングするように配置され、送信装置３１０６は上記第１のセルを介して上記端末に上記第１の専用シグナリングを送信するように配置され、即ち第１のセルの専用チャネルにより第１の情報を送信する。
【０２１６】
他の例として、情報生成装置３１０２は、上記第１の情報をブロードキャストシグナリング（第１のブロードキャストシグナリング）にパッケージングするように配置され、送信装置３１０６は上記第１のセルのブロードキャストチャネルにより上記端末に上記第１のブロードキャストシグナリングを送信するように配置される。
【０２１７】
図３２に、本発明の実施例による、キャリアアグリゲーションをサポートする通信システムにおいてシステム情報を受信するデバイスを示す。図３２に示すように、当該デバイスは受信装置３２０３と制御装置３２０５を含む。
【０２１８】
受信装置３２０３は、第１のセルを介して第１の情報を受信する。第１の情報はシステム情報に変化が発生したことを指示するための情報を含む。
【０２１９】
制御装置３２０５は、上記第１の情報を解析して、上記システム情報に変化が発生したことを指示するための情報を取得する。
【０２２０】
上記システム情報を受信するデバイスは、通信システムの端末に設置することができる。上記システム情報を受信するデバイスにより、端末はシステム情報の変化を直ちに知ることができる。第１のセル（例えば特別セル）により常に基地局と接続を保持するため、受信できないことを避けることができる。なお、第１のセルを利用することにより、端末はそれがサポートする全てのキャリアユニットが対応するセルをモニタリングする必要がないため、端末の消費電力を大幅に低減でき、端末バッテリの使用時間を延長できる。
【０２２１】
第１の情報が第１の専用シグナリングにパッケージングされた場合、上記受信装置３２０３は、上記第１のセルを介して上記第１の情報がパッケージングされた第１の専用シグナリングを受信し、即ち第１のセルの専用チャネルを介して第１の情報を受信するように配置可能である。
【０２２２】
第１の情報が第１のブロードキャストシグナリングにパッケージングされた場合、上記受信装置３２０３は、上記第１のセルのブロードキャストチャネルを介して上記第１の情報がパッケージングされた第１のブロードキャストシグナリングを受信し、即ち第１のセルのブロードキャストチャネルをモニタリングして第１の情報を受信するように配置可能である。
【０２２３】
本発明の当該実施例によれば、キャリアアグリゲーションをサポートする通信システムは、上記システム情報を提供するデバイスとシステム情報を受信するデバイスを含むことができ、これにより、システム情報の伝送と更新を実現する。
【０２２４】
図２〜図８に示す実施例／例示と類似するように、ここでの第１の情報はシステム情報に変化が発生したことを指示するための情報（通知情報とも称する）のみを含むことができる。関連の送信デバイス、受信デバイスは、以下で図３３及び図３４を参照して説明する。
【０２２５】
他の例として、情報生成装置３１０２が生成した第１の情報は更新されたシステム情報を含むこともできる。送信装置３１０６は第１のセル（例えば上記第１のブロードキャストシグナリング或いは第１の専用シグナリングを利用する）により、更新されたシステム情報を含む第１の情報を直接に端末に送信する。端末側で、制御装置３２０５は第１の情報を解析することにより更新されたシステム情報を取得することができる。一例として、第１の情報はシステム情報の変化がキャリアアグリゲーション伝送に影響を与えるか否かを指示するための情報（第３の情報とも称する）を含むことができる。例えば、第３の情報は通信システムのどの部分のシステム情報に変化が発生したかを指示し、端末（例えば制御装置）はこれにより当該変化がキャリアアグリゲーション伝送に影響を与えたか否かを判断することができる。
【０２２６】
他の例として、システム情報の変化は、現在使用中のあるキャリアユニットにキャリアセグメント及び／又は拡張キャリアを追加することを含むことができる。この場合、第１の情報は当該キャリアセグメント及び／又は拡張キャリアに関するシステム情報を含むことができる。受信装置３２０３が第１のセル（例えば上記第１のブロードキャストシグナリング或いは第１の専用シグナリングを利用する）を介して第１の情報を受信した場合、制御装置３２０５は第１の情報を解析することにより、キャリアセグメント及び／又は拡張キャリアを追加しようとする状況を知り、当該キャリアセグメント及び／又は拡張キャリアに関するシステム情報を取得し、当該システム情報に基づいてキャリアセグメント及び／又は拡張キャリアに対して配置を行う。
【０２２７】
図３３に、本発明の実施例による、キャリアアグリゲーションをサポートする通信システムにおいてシステム情報の更新を通知するデバイスを示す。図３３に示すように、当該デバイスは、通知生成装置３３０２、セル特定装置３３０４、送信装置３３０６を含む。
【０２２８】
通知生成装置３３０２は、上記通信システムのシステム情報に変化が発生した場合、通知情報を生成することができ、当該通知情報はシステム情報に変化が発生したことを指示するための情報を含む。当該通知情報が第１の情報の一例であると理解できる。
【０２２９】
セル特定装置３３０４は、システム情報の変化に係わる端末の第１のセルを特定することができ、上記第１のセルは当該端末が接続するセルのうちの一つであり、上記端末が使用している、上記通信システムの基地局と接続を保持するキャリアユニットに対応する。上記第１のセル（特別セル）は前記方法実施例／例示のものと同じであるため、ここでは説明を省略する。セル特定装置３３０４は、前記方法実施例／例示の方法で端末の特別セルを特定することができ、ここでは説明を省略する。
【０２３０】
送信装置３３０６は、上記第１のセルを介して端末に上記通知情報を送信することができる。
【０２３１】
前記実施例と類似するように、一例として、通知生成装置３３０２は、上記通知情報を専用シグナリング（第１の専用シグナリング）にパッケージングするように配置され、送信装置３３０６は上記第１のセルを介して上記端末に上記第１の専用シグナリングを送信するように配置され、即ち第１のセルの専用チャネルにより第１の情報を送信する。他の例として、通知生成装置３３０２は、上記通知情報をブロードキャストシグナリング（第１のブロードキャストシグナリング）にパッケージングするように配置され、送信装置３３０６は上記第１のセルのブロードキャストチャネルにより上記端末に上記第１のブロードキャストシグナリングを送信するように配置される。
【０２３２】
図３４に、本発明の実施例による、キャリアアグリゲーションをサポートする通信システムにおいてシステム情報の更新通知を受信するデバイスを示す。図３４に示すように、当該デバイスは通知受信装置３４０３と制御装置３４０５を含む。
【０２３３】
通知受信装置３４０３は、第１のセルを介して通信システムのネットワーク側（基地局）から送信した通知情報を受信する。通知情報はシステム情報に変化が発生したことを指示するための情報を含む。
【０２３４】
制御装置３４０５は、上記通知情報を解析して、通信システムのシステム情報に変化が発生したことを知る。
【０２３５】
上記システム情報を受信するデバイスは、通信システムの端末に設置することができる。上記システム情報を受信するデバイスにより、端末はシステム情報の変化の通知を直ちに取得することができる。第１のセル（例えば特別セル）により常に基地局と接続を保持するため、通知を受信できないことを避けることができる。なお、第１のセルを利用することにより、端末はそれがサポートする全てのキャリアユニットが対応するセルをモニタリングする必要がないため、端末の消費電力を大幅に低減でき、端末バッテリの使用時間を延長できる。
【０２３６】
通知情報が第１の専用シグナリングにパッケージングされて送信する場合、受信装置３４０３は、第１のセルを介して上記通知情報がパッケージングされた第１の専用シグナリングを受信し、即ち第１のセルの専用チャネルを介して通知情報を受信するように配置可能である。
【０２３７】
通知情報が第１のブロードキャストシグナリングにパッケージングされた場合、受信装置３４０３は、第１のセルのブロードキャストチャネルを介して上記通知情報がパッケージングされた第１のブロードキャストシグナリングを受信し、即ち第１のセルのブロードキャストチャネルをモニタリングして第１の情報を受信するように配置可能である。
【０２３８】
一例として、通知生成装置３３０２は、更新されたシステム情報をブロードキャストシグナリング（第２のブロードキャストシグナリング）にパッケージングするように配置可能で、前記送信装置３３０６は上記システム情報の変化に係わるキャリアユニットに対応するセル（第２のセル）のブロードキャストチャネルを介して上記端末に上記第２のブロードキャストシグナリングを送信するように配置可能である。この場合、端末側の制御装置３４０５は、通知情報を解析することによりシステム情報に変化が発生したことを知った時、受信装置３４０３に端末がサポートする全てのキャリアユニットの対応する全てのセルのブロードキャストチャネルをモニタリングするように指示することができ、これにより通信システムのネットワーク側（基地局）が送信した更新されたシステム情報を受信する。
【０２３９】
他の例として、通知生成装置３３０２が生成した通知情報は、上記システム情報の変化に係わるキャリアユニットをマーキングするための情報（第２の情報とも称する）を含むこともできる。このようにして、端末側の受信装置３４０３が第２の情報を含む通知情報を受信した場合、制御装置３４０５は通知情報を解析することにより当該第２の情報を取得し、当該第２の情報に基づいてシステム情報の変化に係わるキャリアユニットを知ることにより、受信端末３４０３が係わるキャリアユニットの対応するセルのブロードキャストチャネルをモニタリングすることにより、更新されたシステム情報を受信するように指示することができる。このようにして、端末が全てのセルをモニタリングすることを防止でき、端末の消費電力を大幅に低減でき、端末バッテリの使用時間を延長できる。
【０２４０】
他の例として、通知生成装置３３０２が生成した通知情報は、上記システム情報の変化がキャリアアグリゲーション伝送に影響を与えるか否かをマーキングするための情報（第３の情報とも称する）を含むこともできる。これにより、端末側の受信装置３４０３が第３の情報を含む通知情報を受信した場合、制御装置３４０５は通知メッセージを解析することにより、当該第３の情報を取得することができ、且つ当該第３の情報に基づいて更新されたシステム情報を受信するか否かを決定することができる。例えば、端末がキャリアアグリゲーションをサポートし、且つ第３のメッセージがシステム情報の変化がキャリアアグリゲーション伝送に影響を与えないと指示すると、制御装置３４０５は更新されたシステム情報の受信を放棄すると選択することができ、即ち受信装置３４０３に更新されたシステム情報の受信を指示しない。一方、端末がキャリアアグリゲーションをサポートせず、第３のメッセージがシステム情報の変化がキャリアアグリゲーション伝送に影響を与えると指示するとしても、当該端末は更新されたシステム情報の受信を放棄することができる。制御装置３４０５は第３の情報に基づいて、システム情報の変化がキャリアアグリゲーション伝送に影響を与えると判断し、更新されたシステム情報を受信すると決定すると、受信装置３４０３に対応するセルをモニタリングして、更新されたシステム情報を受信するように指示することができる。
【０２４１】
他の例として、通知生成装置３３０２は更新されたシステム情報を専用シグナリング（第３の専用シグナリングとも称する）にパッケージングして、第２のセルの専用チャネルにより送信／受信することができる。当該実施例で、通知情報はシステム情報の変化に係わるキャリアユニットをマーキングするための情報（第２の情報）を含む。これにより、端末側の受信装置３４０３が第２の情報を含む通知情報を受信した後、制御装置３４０５は通知情報を解析することにより、第２の情報を取得し、第２の情報に基づいて、受信装置３４０３に係わるキャリアユニットが対応するセルの専用チャネルをモニタリングすることにより、更新されたシステム情報を受信するように指示することができる。当該実施例で、端末はそれがサポートする他のキャリアユニットの対応する他のセルをモニタリングする必要がないため、端末の消費電力を大幅に低減でき、端末バッテリの使用時間を延長できる。
【０２４２】
上記方法／デバイス実施例と類似するように、ここでのブロードキャストシグナリング及び／又は専用シグナリングは新しく定義したシグナリングであってもよく、既知シグナリングに対する拡張であってもよい。ここでは説明を省略する。
【０２４３】
本発明の当該実施例によれば、キャリアアグリゲーションをサポートする通信システムは、上記実施例／例示のシステム情報の更新を通知するデバイスとシステム情報の更新の通知を受信するデバイスを含むことができ、これにより、システム情報の更新の通知を実現する。
【０２４４】
図３５に、本発明の一実施例による、キャリアユニットを追加しようとする場合、システム情報を送信するためのデバイスを示す。図３５に示すように、当該デバイスは、専用シグナリング生成装置３５０２、セル特定装置３５０４、送信装置３５０６を含む。
【０２４５】
専用シグナリング生成装置３５０２は、キャリアユニットを追加しようとする場合、第１の情報を生成することができ、当該第１の情報はキャリアユニットを追加することを指示するための情報及び当該追加しようとするキャリアユニットに関するシステム情報を含む。専用シグナリング生成装置３５０２は、上記第１の情報を第２の専用シグナリングにパッケージングするように配置される。
【０２４６】
セル特定装置３５０４は、システム情報の変化に係わる端末の第１のセルを特定することができ、上記第１のセルは当該端末が接続するセルのうちの一つであり、上記端末が使用している、上記通信システムの基地局と接続を保持するキャリアユニットに対応する。上記第１のセル（特別セル）は前記方法実施例／例示のものと同じであるため、ここでは説明を省略する。セル特定装置３５０４は、前記方法実施例／例示の方法で端末の特別セルを特定することができ、ここでは説明を省略する。
【０２４７】
送信装置３５０６は、上記第１のセルを介して端末に第２の専用シグナリングを送信し、即ち第１のセルの専用チャネルを介して第１の情報を送信することができる。
【０２４８】
図３６に、図３５に示すシステム情報を提供するデバイスに対応する、キャリアユニットを追加しようとする場合にシステム情報を受信するデバイスを示す。図３６に示すように、当該デバイスは専用シグナリング受信装置３６０３と制御装置３６０５を含む。
【０２４９】
シグナリング受信装置３６０３は、第１のセルを介して、前記追加しようとするキャリアユニットに関するシステム情報を含む第１の情報がパッケージングされた第２の専用シグナリングを受信するように配置可能である。制御装置３６０５は、上記第２の専用シグナリングを解析してキャリアユニットを追加しようとする状況を知り、上記追加しようとするキャリアユニットに関するシステム情報を取得し、上記追加しようとするキャリアユニットに関するシステム情報に基づいて上記追加しようとするキャリアユニットを配置する。
【０２５０】
第１のセルを採用し、専用シグナリングを利用してシステム情報の伝送を行うため、端末側は全てのセルのブロードキャストチャネルをモニタリングする必要がない。なお、専用シグナリングを利用するため、これらの情報はキャリアアグリゲーションをサポートしない端末にとって未知である。
【０２５１】
一例として、上記追加しようとするキャリアユニットは拡張キャリアであってもよく、専用シグナリング生成装置３５０２が生成した第１の情報は、上記拡張キャリアに関するシステム情報をさらに含む。それに対して、シグナリング受信装置３６０３が当該第１の情報がパッケージングされた第２の専用シグナリングを受信すると、制御装置３６０５は第２の専用シグナリングを解析することにより、拡張キャリアを追加しようとする状況を分かり、上記拡張キャリアに関するシステム情報を取得し、当該情報に基づいて拡張キャリアを配置する。
【０２５２】
他の例として、上記追加しようとするキャリアユニットは当該追加しようとするキャリアユニットに付加するキャリアセグメントを含むこともできる。専用シグナリング生成装置３５０２は更に当該キャリアセグメントに関するシステム情報を生成するように配置され、送信装置３５０６は更に上記第１のセルを介して上記端末に上記キャリアセグメントに関する配置情報を送信するように配置される。例えば、当該キャリアセグメントに関するシステム情報は第２の専用シグナリングにパッケージングすることができる。それに対して、シグナリング受信装置３６０３が当該パッケージングされた第１の情報を受信すると、制御装置３６０５は第１の情報を解析することにより、キャリアセグメントを追加しようとすることを知り、当該キャリアセグメントに関するシステム情報を取得し、当該情報に基づいてキャリアセグメントを配置する。
【０２５３】
本発明の当該実施例によれば、キャリアアグリゲーションをサポートする通信システムは、上記システム情報を提供するデバイスと受信するデバイスを含むことができ、これにより、キャリアユニットを追加しようとする場合にシステム情報の伝送を完成する。
【０２５４】
ここでのシステム情報、第２の専用シグナリング等は、図２７及び図２８に基づいて説明した実施例／例示と類似の形式、類似の内容及び類似の伝送方式を有しても良く、ここでは説明を省略する。
【０２５５】
いくつかの実施例／例示で、システム情報の伝送過程で、専用シグナリングを使用すると共に、重要なシステム情報（例えば更新されたシステム情報、キャリアアグリゲーションに関する重要情報）のみを伝送したため、キャリアアグリゲーション伝送の起動過程が加速した。
【０２５６】
いくつかの実施例／例示で、システム情報の伝送過程で、あるキャリアユニットが対応するセル（例えば特別セル）を使用して、システム情報の更新通知メッセージを送信し或いはモニタリングしたため、システム更新通知メッセージの受信正確率を向上し、モニタリング負荷と端末の消費電力を有効に低減し、端末バッテリの使用時間が延長した。
【０２５７】
理解すべきことは、上記実施例／例示は例示的なものであり、網羅的なものではなく、本発明はいかなる具体的な実施例或いは例示に限られない。
【０２５８】
上記実施例と例示で、「第１」、「第２」、「第３」等の記述（例えば第１の専用シグナリング、第２の専用シグナリング等）を採用した。当業者が理解すべきことは、上記記述は専門用語を文字上で区分するためであり、その順序やその他の限定を行うためではない。
【０２５９】
一例として、上記方法の各ステップ及び上記装置の各構成モジュール及び／又はユニットは、通信システムのマスターノード（例えば基地局）におけるソフトウェア、ファームウエア、ハードウェア、その組み合わせとして実施することができ、且つ当該基地局の無線リソース制御デバイスの一部となる。上記装置における各構成モジュール、ユニットをソフトウェア、ファームウエア、ハードウェア、その組み合わせの方式で配置する場合、使用可能な具体的手段或いは方式は当業者にとってよく知っている内容であり、ここでは説明を省略する。
【０２６０】
一例として、既存の基地局無線リソース制御デバイスにおいて本発明の上記実施例による方法及び／又は装置を実施することができ、既存の基地局無線リソース制御デバイスの各構成部分に対して一定の修正をしてもよい。
【０２６１】
一例として、ソフトウェア或いはファームウエアで実現する場合、記憶媒体或いはネットワークから、専用ハードウェア構造を備えるコンピュータ（例えば図３８に示す汎用コンピュータ３８００）に当該ソフトウェアを構成するプログラムをインストールすることができ、当該コンピュータは各種プログラムがインストールされている場合、各種機能を実行できる。
【０２６２】
図３８で、中央処理装置（ＣＰＵ）３８０１は、リードオンリーメモリ（ＲＯＭ）３８０２に記憶されたプログラム或いは記憶部３８０８からランダムアクセスメモリ（ＲＡＭ）３８０３にロードされたプログラムに基づいて、様々な処理を行う。ＲＡＭ３８０３に、必要に応じて、ＣＰＵ３８０１が様々な処理等を実行する際に必要なデータも保存する。ＣＰＵ３８０１、ＲＯＭ３８０２、ＲＡＭ３８０３は、バス３８０４を介して互いにリンクされている。入力／出力インターフェース３８０５もバス３８０４にリンクされている。
【０２６３】
以下の部品が、入力／出力インターフェース３８０５にリンクされている。即ち、入力部３８０６（キーボード、マウス等を含む）、出力部３８０７（ディスプレイ、例えば陰極線管（ＣＲＴ）、液晶ディスプレイ（ＬＣＤ）等、及びスピーカー等を含む）、記憶部３８０８（ハードディスク等を含む）、通信部３８０９（ネットワークインタフェースカード、例えばＬＡＮカード、モデム等を含む）を含む。通信部３８０９は、ネットワーク例えばインターネットを介して通信処理を実行する。必要に応じて、ドライバ３８１０も入力／出力インターフェース３８０５にリンクされることができる。必要に応じて、脱着可能媒体３８１１、例えば磁気ディスク、光ディスク、光磁気ディスク、半導体メモリ等をドライバ３８１０に取り付けて、それから読み出したコンピュータプログラムを必要に応じて記憶部３８０８にインストールすることができる。
【０２６４】
ソフトウェアによって上記一連の処理を実現する場合、インターネット等のネットワーク或いは脱着可能媒体３８１１等の記憶媒体からソフトウェアを構成するプログラムをインストールする。
【０２６５】
当業者が理解すべきことは、このような記憶媒体は、図３８に示すように、プラグラムが記憶され、デバイスと分かれて分配してユーザにプログラムを提供する脱着可能媒体３８１１に限られない。脱着可能媒体３８１１の例として、磁気ディスク（フロッピーディスク（登録商標）を含む）、光ディスク（コンパクトディスクリードオンリーメモリ（ＣＤ−ＲＯＭ）とデジタルバーサタイルディスク（ＤＶＤ）を含む）、光磁気ディスク（ミニディスク（ＭＤ）（登録商標）を含む）、半導体メモリを含む。或いは、記憶媒体は、ＲＯＭ９０２、記憶部３８０８に含まれるハードディスク等であってもよく、その中にプラグラムが記憶され、それを含むデバイスと一緒にユーザに配分される。
【０２６６】
また、本発明は、機器で読み取り可能な命令コードが記憶されたプログラム製品を提供する。機器により上記命令コードを読み取って実行する際に、上記の本発明の実施例による方法を実行することができる。
【０２６７】
それに対して、上記の機器で読み取り可能な命令コードが記憶されたプログラム製品を搭載する記憶媒体も本発明の開示に含まれる。上記記憶媒体には、フロッピーディスク、光ディスク、光磁気ディスク、メモリカード、メモリスティック等が含まれるが、これらに限られない。
【０２６８】
上記の本発明の具体的実施例の説明で、一つの実施形態に対して説明及び／又は示した特徴は、同じ或いは類似の形態で一つ或いは複数の他の実施形態で使用したり、他の実施形態中の特徴と組み合わせたり、他の実施形態中の特徴を代替したりすることができる。
【０２６９】
ここで、本文で、専門用語「備える／含む」を使用する場合、特徴、要素、ステップ或いは部品の存在を指し、一つ或いは複数の他の特徴、要素、ステップ或いは部品の存在或いは付加を排除しない。
【０２７０】
また、本発明の方法は、明細書で説明した時間順序で実行することに限られず、他の時間順序に従って並行に或いは独立に実行してもよい。例えば、いくつかの実施例／例示で第１のセルを特定するステップは、第１の情報／通知情報を生成するステップの前に実行してもよい。よって、本明細書で説明した方法の実行順序は、本発明の技術範囲を限定しない。
【０２７１】
上記で、本発明の具体的実施例を説明することにより、本発明を開示したが、理解すべきことは、上記の全ての実施例と例示は例示的なものであり、制限的なものではない。当業者は、請求項の要旨と範囲内で、本発明に対して各種修正、改善、同等物を設計することができる。これらの修正、改善、同等物も本発明の保護範囲に入る。
【図１】
0005447635.tif 000002
【図２】
0005447635.tif 000003
【図３】
0005447635.tif 000004
【図４】
0005447635.tif 000005
【図５】
0005447635.tif 000006
【図６】
0005447635.tif 000007
【図７】
0005447635.tif 000008
【図８】
0005447635.tif 000009
【図９】
0005447635.tif 000010
【図１０】
0005447635.tif 000011
【図１１】
0005447635.tif 000012
【図１２】
0005447635.tif 000013
【図１３】
0005447635.tif 000014
【図１４】
0005447635.tif 000015
【図１５】
0005447635.tif 000016
【図１６】
0005447635.tif 000017
【図１７】
0005447635.tif 000018
【図１８】
0005447635.tif 000019
【図１９】
0005447635.tif 000020
【図２０】
0005447635.tif 000021
【図２１】
0005447635.tif 000022
【図２２】
0005447635.tif 000023
【図２３】
0005447635.tif 000024
【図２４】
0005447635.tif 000025
【図２５】
0005447635.tif 000026
【図２６】
0005447635.tif 000027
【図２７】
0005447635.tif 000028
【図２８】
0005447635.tif 000029
【図２９】
0005447635.tif 000030
【図３０】
0005447635.tif 000031
【図３１】
0005447635.tif 000032
【図３２】
0005447635.tif 000033
【図３３】
0005447635.tif 000034
【図３４】
0005447635.tif 000035
【図３５】
0005447635.tif 000036
【図３６】
0005447635.tif 000037
【図３７】
0005447635.tif 000038
【図３８】
0005447635.tif 000039